(57)【要約】本開示の実施形態は、スライス可用性に基づく周波数又はＲＡＴ選択に関する。一つの態様で、ネットワーク・スライスの知識に基づいてＲＡＴ及び／又は周波数選択のための情報を決定し、当該情報をＲＡＮノードに提供するためにコア・ネットワーク機能が提供され、ＲＡＮノードは当該情報をＵＥに提供してもよい。情報は、ＲＦＳＰインデックス又は他のインデックス・パラメータであってもよく、これは加入関連情報又は他の情報に基づいて設定されてもよい。スライス知識は、ネットワークにおけるネットワーク・スライス可用性、ＵＥについてのアクティブ・スライス、ＵＥが登録又は接続されているスライス、及び／又はＵＥがアクセスを許可されているスライスの知識を含んでもよい。別の態様で、ＲＡＮノードは、ＣＮノードによって提供されたスライス又は加入情報とともに、決定された情報に基づいて、ＵＥアクティブ又はアイドル・モビリティのためのモビリティ・ポリシーへのマッピングを実行する。
2020535692.tif 000002
【特許請求の範囲】
【請求項１】
無線アクセス・ネットワーク（ＲＡＮ）ノードと通信するように構成されたコア・ネットワーク（ＣＮ）ノードであって、前記ＣＮノードは、
無線アクセス技術（ＲＡＴ）及び／又は周波数選択のための情報を決定することと、
前記決定された情報を前記ＲＡＮノードへ送信することと、
を行うように構成された処理回路を備え、
前記処理回路が、ネットワーク・スライスの知識に基づいて前記情報を決定するようにさらに構成されることと、
前記処理回路が、前記決定された情報とともに、ネットワーク・スライスの前記知識を前記ＲＡＮノードへ送信するようにさらに構成されることと、
の少なくとも一つを特徴とする、ＣＮノード。
【請求項２】
請求項１に記載のＣＮノードであって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、ＣＮノード。
【請求項３】
請求項１又は２に記載のＣＮノードであって、ネットワーク・スライスの前記知識は、
ネットワークにおけるネットワーク・スライスの可用性、
ユーザ機器（ＵＥ）についてのアクティブ・スライス、
前記ＵＥが登録又は接続されているスライス、及び／又は
加入情報に基づいて前記ＵＥがアクセスを許可されているスライス
の知識を含む、ＣＮノード。
【請求項４】
請求項１乃至３の何れか１項に記載のＣＮノードであって、前記ＲＡＴ及び／又は周波数選択のための前記情報は、インデックス・パラメータを含む、ＣＮノード。
【請求項５】
請求項４に記載のＣＮノードであって、前記インデックス・パラメータは、ＲＡＴ及び／又は周波数選択プライオリティ（ＲＦＳＰ）インデックスを含む、ＣＮノード。
【請求項６】
請求項１乃至５の何れか１項に記載のＣＮノードであって、ネットワーク・スライスの前記知識は、前記ＵＥ、前記ＲＡＮノード、又は他のノードから前記ＣＮノードに提供される、ＣＮノード。
【請求項７】
請求項１乃至６の何れか１項に記載のＣＮノードであって、前記ＲＡＴ及び／又は周波数選択のための前記情報は、前記ＵＥがキャンプする周波数を制御するために使用される情報を含む、ＣＮノード。
【請求項８】
請求項１乃至７の何れか１項に記載のＣＮノードであって、前記ＲＡＴ及び／又は周波数選択のための前記情報は、アイドル・モード再選択のための周波数プライオリティを構成するために使用される情報を含む、ＣＮノード。
【請求項９】
コア・ネットワーク（ＣＮ）ノードにおいて実施される方法であって、前記方法は、
無線アクセス技術（ＲＡＴ）及び／又は周波数選択のための情報を決定することと、
前記決定された情報を無線アクセス・ネットワーク（ＲＡＮ）ノードへ送信することと、
を有し、
前記情報を決定することが、ネットワーク・スライスの知識に基づいて前記情報を決定することを含むことと、
前記決定された情報を送信することが、前記決定された情報とともに、ネットワーク・スライスの前記知識を前記ＲＡＮノードへ送信することをさらに含むことと、
の少なくとも一つを特徴とする、方法。
【請求項１０】
請求項９に記載の方法であって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、方法。
【請求項１１】
請求項９又は１０に記載の方法であって、ネットワーク・スライスの前記知識は、
ネットワークにおけるネットワーク・スライスの可用性、
ユーザ機器（ＵＥ）についてのアクティブ・スライス、
前記ＵＥが登録又は接続されているスライス、及び／又は
加入情報に基づいて前記ＵＥがアクセスを許可されているスライス
の知識を含む、方法。
【請求項１２】
請求項９又は１１に記載の方法であって、ＲＡＴ及び／又は周波数選択のための前記情報は、インデックス・パラメータを含む、方法。
【請求項１３】
請求項１２に記載の方法であって、前記インデックス・パラメータは、ＲＡＴ及び／又は周波数選択プライオリティ（ＲＦＳＰ）インデックスを含む、方法。
【請求項１４】
請求項９乃至１３の何れか１項に記載の方法であって、ネットワーク・スライスの前記知識は、前記ＵＥ、前記ＲＡＮノード、又は他のノードから前記ＣＮノードに提供される、方法。
【請求項１５】
請求項９乃至１３の何れか１項に記載の方法であって、前記ＲＡＴ及び／又は周波数選択のための前記情報は、前記ＵＥがキャンプする周波数を制御するために使用される情報を含む、方法。
【請求項１６】
請求項９乃至１５の何れか１項に記載の方法であって、前記ＲＡＴ及び／又は周波数選択のための前記情報は、アイドル・モード再選択のための周波数プライオリティを構成するために使用される情報を含む、方法。
【請求項１７】
ユーザ機器（ＵＥ）と通信するように構成された無線アクセス・ネットワーク（ＲＡＮ）ノードであって、前記ＲＡＮノードは、
無線インタフェースと、
処理回路であって、
無線アクセス技術（ＲＡＴ）及び／又は周波数選択のための情報を受信することと、
アイドル・モード・キャンピング及び／又はアクティブ・モード・モビリティを制御するためのＵＥ固有セル再選択プライオリティを決定するために前記受信した情報を使用することと、
前記ＵＥ固有セル再選択プライオリティを前記ＵＥに提供することと、
を行うように構成された処理回路と、
を備え、
前記ＲＡＴ及び／又は周波数選択のための前記受信された情報が、ネットワーク・スライスの知識に基づいて決定されたことと、
前記ＲＡＴ及び／又は周波数選択のための前記受信された情報が、ネットワーク・スライスの前記知識をさらに含み、前記処理回路が、前記ＵＥ固有セル再選択プライオリティを決定している間にネットワーク・スライスの前記知識を使用するようにさらに構成されることと、のうちの少なくとも一つを特徴とする、ＲＡＮノード。
【請求項１８】
請求項１７に記載のＲＡＮノードであって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、ＲＡＮノード。
【請求項１９】
請求項１７又は１８に記載のＲＡＮノードであって、前記ＲＡＴ及び／又は周波数選択のための前記情報は、インデックス・パラメータを含む、ＲＡＮノード。
【請求項２０】
請求項１９に記載のＲＡＮノードであって、前記インデックス・パラメータは、ＲＡＴ及び／又は周波数選択プライオリティ（ＲＦＳＰ）インデックスを含む、ＲＡＮノード。
【請求項２１】
請求項１７乃至２０の何れか１項に記載のＲＡＮノードであって、前記処理回路は、前記ＵＥ、前記ＲＡＮノード、又は別のノードからネットワーク・スライスの前記知識を受信するようにさらに構成される、ＲＡＮノード。
【請求項２２】
請求項１７乃至２１の何れか１項に記載のＲＡＮノードであって、前記ＲＡＴ及び／又は周波数選択のための前記情報は、前記ＵＥがキャンプする周波数を制御するために使用される情報を含む、ＲＡＮノード。
【請求項２３】
請求項１７乃至２２の何れか１項に記載のＲＡＮノードであって、前記ＲＡＴ及び／又は周波数選択のための前記情報は、アイドル・モード再選択のための周波数プライオリティを構成するために使用される情報を含む、ＲＡＮノード。
【請求項２４】
請求項１７乃至２３の何れか１項に記載のＲＡＮノードであって、前記ＲＡＮノードは、拡張型又は発展型ノードＢ（ｅＮＢ）又はニュー・ラジオ基地局（ｇＮＢ）を含む、ＲＡＮノード。
【請求項２５】
無線アクセス・ネットワーク（ＲＡＮ）ノードにおいて実施される方法であって、前記方法は、
無線アクセス技術（ＲＡＴ）及び／又は周波数選択のための情報を受信することと、
アイドル・モード・キャンピング及び／又はアクティブ・モード・モビリティを制御するためのユーザ機器（ＵＥ）固有セル再選択プライオリティを決定するために前記受信した情報を使用することと、
前記ＵＥ固有セル再選択プライオリティをＵＥに提供することと、
を有し、
前記ＲＡＴ及び／又は周波数選択のための前記受信された情報が、ネットワーク・スライスの知識に基づいて決定されたことと、
前記ＲＡＴ及び／又は周波数選択のための前記受信された情報が、ネットワーク・スライスの前記知識をさらに含み、前記ＵＥ固有セル再選択プライオリティを決定するために前記受信した情報を使用することが、前記ＵＥ固有セル再選択プライオリティを決定するためにネットワーク・スライスの前記知識を使用することをさらに含むことと、のうちの少なくとも一つを特徴とする、方法。
【請求項２６】
請求項２５に記載の方法であって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、方法。
【請求項２７】
請求項２５又は２６に記載の方法であって、前記ＲＡＴ及び／又は周波数選択のための前記情報は、インデックス・パラメータを含む、方法。
【請求項２８】
請求項２７に記載の方法であって、前記インデックス・パラメータは、ＲＡＴ及び／又は周波数選択プライオリティ（ＲＦＳＰ）インデックスを含む、方法。
【請求項２９】
請求項２５乃至２８の何れか１項に記載の方法であって、前記ＲＡＴ及び／又は周波数選択のための前記情報は、前記ＵＥがキャンプする周波数を制御するために使用される情報を含む、方法。
【請求項３０】
請求項２５乃至２９の何れか１項に記載の方法であって、前記ＲＡＴ及び／又は周波数選択のための前記情報は、アイドル・モード再選択のための周波数プライオリティを構成するために使用される情報を含む、方法。
【請求項３１】
ホスト・コンピュータを含む通信システムであって、
ユーザ・データを提供するように構成された処理回路と、
ユーザ機器（ＵＥ）への送信のためにセルラー・ネットワークへ前記ユーザ・データを転送するように構成された通信インタフェースと、
を備え、
前記セルラー・ネットワークは、処理回路を有するコア・ネットワーク（ＣＮ）ノードを備え、前記ＣＮノードの前記処理回路は、無線アクセス技術（ＲＡＴ）及び／又は周波数選択のための情報を決定することと、前記決定された情報を無線アクセス・ネットワーク（ＲＡＮ）ノードへ送信することと、を行うように構成され、
前記ＣＮノードの前記処理回路が、ネットワーク・スライスの知識に基づいて前記情報を決定するようにさらに構成されることと、
前記ＣＮノードの前記処理回路が、前記決定された情報とともに、ネットワーク・スライスの前記知識を前記ＲＡＮノードへ送信するようにさらに構成されることと、
の少なくとも一つを特徴とする、通信システム。
【請求項３２】
請求項３１に記載の通信システムであって、前記ＲＡＮノードをさらに含む、通信システム。
【請求項３３】
請求項３１又は３２に記載の通信システムであって、前記ＵＥをさらに含み、前記ＵＥは、前記ＲＡＮノードと通信するように構成される、通信システム。
【請求項３４】
請求項３１乃至３３の何れか１項に記載の通信システムであって、
前記ホスト・コンピュータの前記処理回路は、ホスト・アプリケーションを実行し、それによって前記ユーザ・データを提供するように構成され、
前記ＵＥは、前記ホスト・アプリケーションに関連するクライアント・アプリケーションを実行するように構成された処理回路を備える、通信システム。
【請求項３５】
請求項３１乃至３４の何れか１項に記載の通信システムであって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、通信システム。
【請求項３６】
請求項３１乃至３５の何れか１項に記載の通信システムであって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、通信システム。
【請求項３７】
請求項３１乃至３６の何れか１項に記載の通信システムであって、ＲＡＴ及び／又は周波数選択のための前記情報は、インデックス・パラメータを含む、通信システム。
【請求項３８】
請求項３７に記載の通信システムであって、前記インデックス・パラメータは、ＲＡＴ及び／又は周波数選択プライオリティ（ＲＦＳＰ）インデックスを含む、通信システム。
【請求項３９】
請求項３１乃至３８の何れか１項に記載の通信システムであって、ネットワーク・スライスの前記知識は、前記ＵＥ、前記ＲＡＮノード、又は他のノードから前記ＣＮノードに提供される、通信システム。
【請求項４０】
請求項３１乃至３９の何れか１項に記載の通信システムであって、前記ＲＡＴ及び／又は周波数選択のための前記情報は、前記ＵＥがキャンプする周波数を制御するために使用される情報を含む、通信システム。
【請求項４１】
請求項３１乃至４０の何れか１項に記載の通信システムであって、前記ＲＡＴ及び／又は周波数選択のための前記情報は、アイドル・モード再選択のための周波数プライオリティを構成するために使用される情報を含む、通信システム。
【請求項４２】
ホスト・コンピュータ、コア・ネットワーク（ＣＮ）ノード、無線アクセス・ネットワーク（ＲＡＮ）ノード、及びユーザ機器（ＵＥ）を含む通信システムにおいて実施される方法であって、前記方法は、
前記ホスト・コンピュータにおいて、ユーザ・データを提供することと、
前記ホスト・コンピュータにおいて、前記ＣＮノードを含むセルラー・ネットワークを介して前記ＵＥへ前記ユーザ・データを伝える送信を開始することと、
を有し、
前記ＣＮノードは、ネットワーク・スライスの知識に基づいて無線アクセス技術（ＲＡＴ）及び／又は周波数選択のための情報を決定することと、前記決定された情報を前記ＲＡＮノードへ送信することと、を行い、
前記ＣＮノードが、ネットワーク・スライスの知識に基づいて前記情報を決定することと、
前記ＣＮノードが、前記決定された情報とともに、ネットワーク・スライスの前記知識を前記ＲＡＮノードへ送信することと、
の少なくとも一つを特徴とする、方法。
【請求項４３】
請求項４２に記載の方法であって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、方法。
【請求項４４】
請求項４２又は４３に記載の方法であって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、方法。
【請求項４５】
請求項４２乃至４４の何れか１項に記載の方法であって、前記ＲＡＴ及び／又は周波数選択のための前記情報は、インデックス・パラメータを含む、方法。
【請求項４６】
請求項４５に記載の方法であって、前記インデックス・パラメータは、ＲＡＴ及び／又は周波数選択プライオリティ（ＲＦＳＰ）インデックスを含む、方法。
【請求項４７】
請求項４２乃至４６の何れか１項に記載の方法であって、ネットワーク・スライスの前記知識は、前記ＵＥ、前記ＲＡＮノード、又は他のノードから前記ＣＮノードに提供される、方法。
【請求項４８】
請求項４２乃至４７の何れか１項に記載の方法であって、前記ＲＡＴ及び／又は周波数選択のための前記情報は、前記ＵＥがキャンプする周波数を制御するために使用される情報を含む、方法。
【請求項４９】
請求項４２乃至４８の何れか１項に記載の方法であって、前記ＲＡＴ及び／又は周波数選択のための前記情報は、アイドル・モード再選択のための周波数プライオリティを構成するために使用される情報を含む、方法。
【請求項５０】
ホスト・コンピュータを含む通信システムであって、
ユーザ・データをユーザ機器に提供するように構成された処理回路と、
ユーザ機器（ＵＥ）への送信のために前記ユーザ・データをセルラー・ネットワークに転送するように構成された処理インタフェースと、
を備え、
前記セルラー・ネットワークは、無線インタフェース及び処理回路を有する無線アクセス・ネットワーク（ＲＡＮ）ノードを含み、前記ＲＡＮノードの前記処理回路は、無線アクセス技術（ＲＡＴ）及び／又は周波数選択のための情報を受信することと、アイドル・モード・キャンピング及び／又はアクティブ・モード・モビリティを制御するためのＵＥ固有セル再選択プライオリティを決定するために前記受信された情報を使用することと、前記ＵＥ固有セル再選択プライオリティを前記ＵＥに提供することと、を行うように構成され、
前記ＲＡＴ及び／又は周波数選択のための前記受信された情報が、ネットワーク・スライスの知識に基づいて決定されたことと、
前記ＲＡＴ及び／又は周波数選択のための前記受信された情報が、ネットワーク・スライスの前記知識をさらに含み、前記ＲＡＮノードの前記処理回路が、ＵＥ固有セル再選択プライオリティを決定している間にネットワーク・スライスの前記知識を使用するようにさらに構成されることと、
のうちの少なくとも一つを特徴とする、通信システム。
【請求項５１】
請求項５０に記載の通信システムであって、前記ＲＡＮノードは、拡張型又は発展型ノードＢ（ｅＮＢ）又はニュー・ラジオ基地局（ｇＮＢ）を含む、通信システム。
【請求項５２】
請求項５０又は５１に記載の通信システムであって、前記ＲＡＮノードは、前記情報を供給するためのコア・ネットワーク（ＣＮ）ノードから前記情報を受信するように構成される、通信システム。
【請求項５３】
請求項５０乃至５２の何れか１項に記載の通信システムであって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、通信システム。
【請求項５４】
請求項５０又は５３に記載の通信システムであって、前記ＣＮノードをさらに含む、通信システム。
【請求項５５】
請求項５０乃至５４の何れか１項に記載の通信システムであって、前記ＲＡＮノードは、前記情報を供給するための前記ＵＥから前記情報を受信するように構成される、通信システム。
【請求項５６】
請求項５０乃至５５の何れか１項に記載の通信システムであって、前記ＵＥをさらに含み、前記ＵＥは、前記ＲＡＮノードと通信するように構成される、通信システム。
【請求項５７】
請求項５０乃至５６の何れか１項に記載の通信システムであって、
前記ホスト・コンピュータの前記処理回路は、ホスト・アプリケーションを実行し、それによって前記ユーザ・データを提供するように構成され、
前記ＵＥは、前記ホスト・アプリケーションに関連するクライアント・アプリケーションを実行するように構成された処理回路を備える、通信システム。
【請求項５８】
請求項５０乃至５７の何れか１項に記載の通信システムであって、前記ＲＡＴ及び／又は周波数選択のための前記情報は、前記ＵＥがキャンプする周波数を制御するために使用される情報を含む、通信システム。
【請求項５９】
請求項５０乃至５８の何れか１項に記載の通信システムであって、前記ＲＡＴ及び／又は周波数選択のための前記情報は、アイドル・モード再選択のための周波数プライオリティを構成するために使用される情報を含む、通信システム。
【請求項６０】
ホスト・コンピュータ、無線アクセス・ネットワーク（ＲＡＮ）ノード、及びユーザ機器（ＵＥ）を含む通信システムにおいて実施される方法であって、前記方法は、
前記ホスト・コンピュータにおいて、ユーザ・データを提供することと、
前記ホスト・コンピュータにおいて、前記ＲＡＮノードを含むセルラー・ネットワークを介して前記ＵＥへ前記ユーザ・データを伝える送信を開始することと、
を有し、
前記ＲＡＮノードは、無線アクセス技術（ＲＡＴ）及び／又は周波数選択のための情報を受信することと、アイドル・モード・キャンピング及び／又はアクティブ・モード・モビリティを制御するためのＵＥ固有セル再選択プライオリティを決定するために前記受信された情報を使用することと、前記ＵＥ固有セル再選択プライオリティを前記ＵＥに提供することと、を行い、
前記ＲＡＴ及び／又は周波数選択のための前記受信された情報が、ネットワーク・スライスの知識に基づいて決定されたことと、
前記ＲＡＴ及び／又は周波数選択のための前記受信された情報が、ネットワーク・スライスの前記知識をさらに含み、前記ＲＡＮノードが、ＵＥ固有セル再選択プライオリティを決定している間にネットワーク・スライスの前記知識を使用することと、
のうちの少なくとも一つを特徴とする、方法。
【請求項６１】
請求項６０に記載の方法であって、前記ユーザ・データは、ホスト・アプリケーションを実行することによって前記ホスト・コンピュータにおいて提供され、前記方法は、
前記ＵＥにおいて、前記ホスト・アプリケーションに関連付けられたクライアント・アプリケーションを実行することをさらに有する、方法。
【請求項６２】
請求項６０又は６１に記載の方法であって、前記ＲＡＴ及び／又は周波数選択のための前記情報は、前記ＵＥがキャンプする周波数を制御するために使用される情報を含む、方法。
【請求項６３】
請求項６０乃至６２の何れか１項に記載の方法であって、前記ＲＡＴ及び／又は周波数選択のための前記情報は、アイドル・モード再選択のための周波数プライオリティを構成するために使用される情報を含む、方法。
【発明の詳細な説明】
【技術分野】
【０００１】
関連出願
本出願は２０１７年９月２８日に出願された仮特許出願第６２／５６５，０２２号の利益を主張し、この開示は、その全体が参照により本書に組み込まれる。
技術分野
第５世代（５Ｇ）、５Ｇコア・ネットワーク（５ＧＣ）、ニュー・ラジオ（ＮＲ）、次世代（ＮＧ）、認証管理機能（ＡＭＦ）、ネットワーク・スライシング。
【背景技術】
【０００２】
第５世代（５Ｇ）コア・ネットワーク（５ＧＣ）と、ロング・ターム・エボリューション（ＬＴＥ）及びニュー・ラジオ（ＮＲ）無線アクセス技術（ＲＡＴ）の両方を含む次世代（ＮＧ）無線アクセス・ネットワーク（ＲＡＮ）とのためのネットワーク・スライシングをサポートすることが第３世代パートナーシップ・プロジェクト（３ＧＰＰ）において合意されている。本書では、以下の用語が使用される。
【０００３】
サービス：電気通信ネットワーク上のエンティティに提供されるサービス。例示的なサービスは、エンド・ユーザ・サービス及びビジネス・サービスを含む。サービスは、ネットワーク・オペレータ又は第三者によって提供されうる。
【０００４】
サービス・インスタンス：電気通信ネットワーク上のサービスのインスタンス化。ネットワークは、ゼロ個以上のサービス・インスタンスを有してもよく、これらは、異なるタイプ、同じタイプ、又は上記のいくつかであってもよい。
【０００５】
ネットワーク・スライス：アクセス・ネットワーク（ＡＮ）及びコア・ネットワーク（ＣＮ）能力を含む、電気通信サービス及びネットワーク能力を提供する完全な論理ネットワーク。ＡＮは、複数のネットワーク・スライスに共通でありうる。ネットワーク・スライスは、異なる機能をサポートしてもよく、及び／又は異なるネットワーク機能最適化を有していてもよい。
【０００６】
ネットワーク・スライス・インスタンス（ＮＳＩ）：これらのネットワーク機能を実行するためのネットワーク機能の集合及びリソースであって、一つ以上のサービス・インスタンスで必要とされる特定のネットワーク特性を満たすための完全なインスタンス化された論理ネットワークを形成する。ＮＳＩは完全に又は部分的に、論理的に及び／又は物理的に、別のＮＳＩから分離されてもよい。リソースは、物理リソース及び論理リソースを含む。ＮＳＩは、複数のＮＳＩによって共有されてもよいサブネットワーク・インスタンスで構成されてもよい。ＮＳＩは、ネットワーク・スライス・ブループリントによって規定されてもよい。ＮＳＩを作成する際に、インスタンス固有のポリシー及び構成が必要とされる。例示のネットワーク特性は、超低レイテンシ、超信頼性などを含むが、これらに限定されない。
【０００７】
ネットワーク・スライス選択支援情報（ＮＳＳＡＩ）：ユーザ機器（ＵＥ）のためのＮＳＩのＲＡＮ及びＣＮ部分の集合を選択するために、ＵＥによってネットワークに提供されるパラメータの集合で構成される情報。この情報は、ＵＥがアクセスすることを許可されている各スライスについてスライス・サービス・タイプ（ＳＳＴ）を含み、スライス・ディファレンシエータ（ＳＤ）を含んでもよい。
【０００８】
ＲＡＴ／周波数選択プライオリティ（ＲＦＳＰ）インデックス：特定の無線リソース管理（ＲＲＭ）ストラテジを適用するために、ＲＡＮによって、ローカルに規定された構成にマッピングされる。ＲＦＳＰインデックスは、アイドル・モード・キャンピングを制御し、アクティブ・モードＵＥを異なる周波数層又はＲＡＴにリダイレクトすることを決定するために、ＵＥ固有セル再選択プライオリティを導出するためにＲＡＮによって使用されてもよい。ＲＦＳＰインデックスはＵＥ固有であり、すべての無線ベアラに適用される。
【０００９】
ネットワーク・スライシングは例えば、３ＧＰＰ技術仕様（ＴＳ）２３．７９９に記載されている。ネットワーク・スライシングは、例えば機能性、性能及び分離のエリアにおける多様な要件を要求する異なる市場シナリオのための最適化されたソリューションを提供するようにカスタマイズされたネットワークをオペレータが作成することを可能にする。
【００１０】
図１は、ネットワーク・スライシング概念を示す。図１に示されるように、ネットワーク・スライシング概念は、１）サービス・インスタンス層１１０、２）ＮＳＩ層１１２、及び３）リソース層１１４の三つの層からなる。
【００１１】
サービス・インスタンス層１１０は、サポートされるべきサービス（エンド・ユーザ・サービス又はビジネス・サービス）を表す。各サービスは、サービス・インスタンス１１６によって表される。図１に示される実施形態では、１１６‐１〜１１６‐５とラベル付けされた五つのサービス・インスタンスがあり、これらは集合的に又は個別にサービス・インスタンス１１６と称されてもよい。典型的に、ネットワーク・オペレータによって又は第三者によってサービスが提供されうる。これに沿って、サービス・インスタンス１１６は、オペレータ・サービス又は第三者提供サービスのいずれかを表すことができる。
【００１２】
ネットワーク・オペレータは、ＮＳＩ１１８を作成するために、ネットワーク・スライス・ブループリントを使用する。図１に示される実施形態では、１１８‐１〜１１８‐４とラベル付けされた四つのＮＳＩがあり、これらは集合的又は個別にＮＳＩ１１８と称されてもよい。ＮＳＩ１１８は、サービス・インスタンス１１６によって必要とされるネットワーク特性を提供する。ＮＳＩ１１８は、ネットワーク・オペレータによって提供される複数のサービス・インスタンス１１６にわたって共有されてもよい。異なる第三者によって提供されるサービス・インスタンス１１６にわたるＮＳＩ１１８の共有をサポートする必要があるかどうかは、まだ標準化されていない。
【００１３】
ＮＳＩ１１８はゼロ個、一つ、又は複数のサブネットワーク・インスタンス１２０によって構成されてもよい。図１に示される実施形態では、１２０‐１から１２０‐６とラベル付けされた六つのサブネットワーク・インスタンスがあり、これらは集合的に又は個別にサブネットワーク・インスタンス１２０と称されてもよく、別のＮＳＩ１１８によって共有されてもよい。図１に示される実施形態では例えば、サブネットワーク・インスタンス１２０‐４はＮＳＩ１１８‐３及びＮＳＩ１１８‐４によって共有される。同様に、サブネットワーク・ブループリントは、物理／論理リソース１２２上で実行されるネットワーク機能の集合を形成するためのサブネットワーク・インスタンス１２０を作成するために使用される。
【００１４】
ＮＳＩ１１８：これらのネットワーク機能を実行するためのネットワーク機能及びリソース１２２の集合であって、サービス・インスタンス１１６によって要求される特定のネットワーク特性を満たすために完全なインスタンス化された論理ネットワークを形成する。
●  ＮＳＩ１１８は完全に又は部分的に、論理的及び／又は物理的に、別のＮＳＩ１１８から分離されてもよい。
●  リソース１２２は物理的及び論理的リソースを含み、ＮＳＩ１１８はサブネットワーク・インスタンス１２０で構成されてもよく、これは、特殊な場合として、複数のＮＳＩ１１８によって共有されてもよい。ＮＳＩ１１８は、ネットワーク・スライス・ブループリントによって規定される。
●  ＮＳＩ１１８を作成する際に、インスタンス固有のポリシー及び設定が必要である。
●  ネットワーク特性の例は、超低レイテンシ、超信頼性などである。
【００１５】
以下のリストは、ネットワーク・スライシングに関する合意の現在のステータスを含む。
●  ネットワーク・スライスは、ＡＮ及びＣＮコンポーネントを含む完全な論理ネットワーク（電気通信サービス及びネットワーク機能を提供する）である。ＲＡＮがスライスされるかどうかは、決定するための３ＧＰＰ  ＲＡＮワーキング・グループ（ＷＧ）次第である。ＡＮは、複数のＮＳＩ１１８に共通でありうる。ＮＳＩ１１８は、サポートされる特徴及びネットワーク機能最適化ユースケースについて異なってもよい。ネットワークは例えば、異なるコミットメント付きの異なるサービスを提供する際及び／又は顧客専用であってもよいために、異なるグループのＵＥ専用であるまったく同じ最適化及び特徴を提供する複数のＮＳＩ１１８を展開してもよい。
●  ＵＥは、ＵＥのためのＮＳＩ１１８のＲＡＮ及びＣＮ部分の集合を選択するために、パラメータの集合からなるＮＳＳＡＩをネットワークに提供してもよい。
●  ネットワークがネットワーク・スライシングを展開するならば、それは、ネットワーク・スライスを選択するためにＵＥ提供のＮＳＳＡＩを使用してもよい。さらに、ＵＥ能力及びＵＥ加入データが使用されてもよい。
●  ＵＥは、一つのＲＡＮを介して複数のスライスに同時にアクセスしてもよい。このような場合、これらのスライスは、認証管理機能（ＡＭＦ）及びＮＳＩ選択機能（ＮＳＩＳＦ）のようないくつかの制御プレーン機能を共有する。これらの共通機能は、集合的に共通制御ネットワーク機能（ＣＣＮＦ）として識別される。
●  ＵＥにサービスを提供するＮＳＩのＣＮ部分は、ＲＡＮではなくＣＮによって選択される。
●  ＵＥはモビリティ管理（ＭＭ）手続きにおいて新しいＮＳＳＡＩの値をサブミットすることによって、ネットワークに、使用中のネットワーク・スライスの集合を変更させてもよい。最終決定はネットワーク次第である。
【００１６】
ネットワークは、ローカル・ポリシー、加入変更、及び／又はＵＥモビリティに基づいて、受理されたＮＳＳＡＩ変更の通知をＵＥに提供することによって、ＵＥによって使用されているネットワーク・スライスの集合を変更できる。その後、これは、ネットワークが提供した新しい受理されたＮＳＳＡＩの新しい値をシグナリングする無線リソース制御（ＲＲＣ）及び非アクセス層（ＮＡＳ）を含むＵＥ始動のＭＭ手続きをトリガする。
【００１７】
ＵＥによって使用されるスライスの集合の変更（ＵＥが始動したかネットワークが始動したかに関わらない）は、オペレータ・ポリシーに従うＣＣＮＦ変更につながってもよい。シナリオ、並びにこのようなＵＥトリガのネットワーク・スライス変更が使用される場合にどのＭＭ手続きを使用するかは、規範的フェーズ中に決定されるべきである。ＵＥによってアクセス可能なネットワーク・スライスの集合を変更することは、これらのスライスもはや使用されない（場合によっては、いくつかのスライスが依然として保持されている）ならばネットワーク・スライスの元の集合との進行中のプロトコル・データ・ユニット（ＰＤＵ）セッションの終了をもたらす。
ネットワーク加入データは、ＵＥがどのスライスにアクセスを許可されているかに関する情報を含む。加入における情報は、ＵＥがアクセスすることを許可されている各スライスについてのＳＳＴ及びＳＤ情報の両方を含む（ＳＤ情報は、スライスに適用可能であれば存在する）。これはまた、スライスのためのセッション管理ＮＳＳＡＩ（ＳＭ−ＮＳＳＡＩ）である。加入データは、スライスがデフォルト・スライスであるかどうかに関する情報を含む（すなわち、ＵＥは、ＵＥがネットワークにアタッチされている場合にこのスライスを使用しているはずである）。ＵＥがＮＳＳＡＩを提供せずにネットワークに最初にアタッチされた場合に、ＣＮはデフォルトのＮＳＳＡＩを使用するはずである。このＮＳＳＡＩは、ＵＥにサービスを提供するデフォルト初期ネットワーク・スライスを決定するために、デフォルト・スライスとみなされるフラグ・インジケーションとともにＵＥ加入情報内に格納されるＳＭ−ＮＳＳＡＩ値で構成される。
【００１８】
さらに、３ＧＰＰ  ＴＳ２３．５０１において、ＵＥのためのネットワーク・スライスの集合はＵＥがネットワークに登録されている間はいつでも変更可能であり、ネットワーク又は下記の特定の条件下でＵＥによって開始されてもよいことが合意されている。本仕様のこのリリースでは、ＡＭＦによってＵＥに割り当てられる登録エリアがネットワーク・スライスのための同種のサポートを有するものと仮定する。
【００１９】
上記の合意から分かるように、ＵＥに登録エリアが割り当てられる。登録エリアは、一つ以上のセルから構成されるトラッキング・エリア（ＴＡ）の集合を含む。登録エリア全体は、ＵＥが接続されているネットワーク・スライスをサポートすべきである。これは、同じスライスがＵＥ登録エリアのすべてのセルによってサポートされることを意味する。
【００２０】
３ＧＰＰ  ＲＡＮ２  ＃９９会議で、スライシングに関連してＵＥセル及び周波数選択をどのように処理するかというトピックが議論された。以下は、会議報告書Ｒ２−１７０９１５８の抜粋である。
●  Ｐ２ａ：
○  ３ＧＰＰ  ＳＡ２グループによれば、ＵＥ当たりのスライスの最大数は８である。
●  合意：
○  ＲＡＮ２は、ネットワーク・スライスがＲＡＮ部分とＣＮ部分とを有することを理解する。ネットワーク・スライスとは別のＲＡＮスライスの概念は存在しない。
○  ＲＡＮ２は、ネットワーク・スライシングのためのＲＡＮソリューションが多数のスライス（例えば、数百のスライス）をサポートできなければならないことを対象とする。ＵＥによって並列にサポートされるスライスの数は８である。
○  ＵＥの観点から、ＵＥは（例えば、異なるＰＤＵセッションの異なるデータ無線ベアラ（ＤＲＢ）の適切な構成によって）サポートされるスライスの要件をサポートするように構成されうる。
○  周波数内セル再選択について、ＵＥは、常に最良のセルにキャンプしようとする。
○  我々は、３ＧＰＰリリース（Ｒｅｌ）１５のためのスライシングについてランダム・アクセス・チャネル（ＲＡＣＨ）リソース分離／差別化された処理のための追加の機能性をサポートしない。
●  作業仮定：
○  スライシングの必要性について、ＵＥがキャンプする周波数を制御するために、ニュー・ラジオ基地局（ｇＮＢ）から提供される専用プライオリティの適切な構成が使用されうる。（すなわち、ＬＴＥと同じメカニズムの再利用）（ＵＥが登録されているすべてのスライスの知識をｇＮＢが有するかどうかをチェックすること）
【００２１】
上記の議論の背景は、異なるセル又は周波数層がネットワーク・スライシングのための異なるサポートを有してもよいことに関するトピックであった。この場合、問題は、「スライスに登録されているＵＥが、当該スライスをサポートする周波数又はセルをどのように選択するか？」である。このトピックは例えば、会議に提出されたエリクソンの寄書Ｒ２−１７０７７９９、スライス可用性エリクソンで議論された。以下はＲ２−１７０７７９９の抜粋である。
●  ３ＧＰＰ  ＴＳグループＳＡ２／ＲＡＮ３によって理解されるように、すべてのスライスがネットワーク全体で使用可能であるとは予想されないが、スライス可用性はＵＥ登録エリアにわたって一貫している。これは、一つのＮＲ又はＬＴＥセルにおいてスライスが使用可能であるならば、同じＣＮトラッキング・エリアに属するすべてのセルにおいて少なくとも使用可能であることを意味する。これは、ＵＥがＣＮレベル登録エリア変更を実行する場合に、スライス可用性に対する変更が処理されうることを意味する。これはまた、３ＧＰＰ  ＴＳ  ２３．５０１のセクション５．１５の現在の理解でもあり、ここではスライスの可用性及び接続性がＮＡＳレベルで処理される。
●  ＲＡＮ２が対処する未解決問題は、スライス可用性がＵＥに提供されるべきかどうかであり、もしそうであれば、どのようにスライス可用性がＵＥに提供されるべきかである。
●  スライス可用性がシステム情報の一部として明示的に提供されるべきではなく、（ＮＡＳシグナリングを使用して）ＵＥとＣＮとの間で処理されるべきである理由について、以下の主な議論がなされる。
○  スケーラビリティ。このソリューションが将来、何百ものスライスを追加することを可能にするならば、ブロードキャストを使用することは、不必要なオーバヘッドに起因してこれらのレベルにスケーリングしないことになり、有益である。
○  将来のプルーフネス。新しいスライス、スライス・タイプ、又は特徴が将来追加され、将来の更新につながるかもしれない。このため、これらの特徴をサポートするＵＥ及びネットワークのみに影響を与える新しい特徴を将来追加することをより容易にするスライス可用性を処理するために、専用シグナリングに頼ることは明らかに有益である。
○  最適化。準最適セル／ＲＡＴ／周波数選択につながる、加入、サービス、及びスライス情報についてのＲＡＮ及びＵＥにおける知識の欠如。スライス可用性をブロードキャストすることは、ＣＮにおいて使用可能な加入情報又はオペレータ・ポリシーに基づいて、元のスライスと同様の性能を有する異なるスライスからサービスを受信することができる場合に、ＵＥがキャンプするために準最適セルを選択することにつながりうる。
○  一貫したＵＥ挙動。スライス可用性をブロードキャストすることは、ＵＥがこの情報を使用して、それ自体によってＲＡＴ／周波数／セル選択を制御することを前提とする。これは、一貫性のないＵＥ挙動につながる可能性があり、オペレータが新しい特徴、周波数層などを導入することを困難にする。既存のスライスに依存しないネットワーク制御されたＲＡＴ／周波数／セル・メカニズムが、オペレータ・ポリシーに基づいてスライス可用性を処理するためにも再使用される場合がより好ましい。
【００２２】
会議では、専用プライオリティを使用するという原則が採択された。上記の会議の議事録から得られた部分を以下に示す。
●  識別された未解決問題は、ｇＮＢがＵＥ周波数（及びＲＡＴ）プライオリティを割り当てることができるように、ｇＮＢがどのようにスライスについての知識を有するべきかを含む。
【００２３】
３ＧＰＰ  ＴＳ  ２３．５０１：無線リソース管理機能では、ＲＦＳＰを規定する作業も行われている。以下は、３ＧＰＰ  ＴＳ  ２３．５０１からの抜粋である。
●  ＲＡＮにおける無線リソース管理をサポートするために、ＡＭＦは、パラメータ「ＲＡＴ／周波数選択プライオリティへのインデックス」（ＲＦＳＰインデックス）を、Ｎ２を介してＲＡＮに提供する。
●  ＲＦＳＰインデックスは特定のＲＲＭストラテジを適用するために、ＲＡＮによって、ローカルに規定された構成にマッピングされる。
●  ＲＦＳＰインデックスはＵＥ固有であり、すべての無線ベアラに適用される。
●  ＲＡＮによってこのパラメータがどのように使用されてもよいかの例：
○  アイドル・モード・キャンピングを制御するために、ＵＥ固有セル再選択プライオリティを導出する。
○  アクティブ・モードＵＥを異なる周波数層又はＲＡＴにリダイレクトすることを決定する。
●  ＡＭＦは（例えば、登録手続き中に、）加入されたＲＦＳＰインデックスを受信する。非ローミング加入者について、ＡＭＦは、オペレータの設定に依存して、以下の手続きの一つに従って使用中のＲＦＰインデックスを選択する。
○  使用中のＲＦＳＰインデックスは、加入されたＲＦＳＰインデックスと同じである。
○  ＡＭＦは、加入されたＲＦＳＰインデックス、ローカルに設定されたオペレータのポリシー、及び登録手順中に受信されたならばＵＥの使用設定を含むＡＭＦで使用可能なＵＥ関連コンテキスト情報に基づいて、使用中のＲＦＳＰインデックスを選択する（３ＧＰＰ  ＴＳ  ２３．５０２項を参照）。
●  ＡＭＦが「ＵＥの使用設定」をどのように使用できるかの一つの例は、ボイス・オーバＮＲが特定の登録エリアでサポートされておらず、それがＮＲセルを含む場合に、「音声中心」の方法で動作するＵＥに対して、発展型ユニバーサル地上無線アクセス（Ｅ−ＵＴＲＡ）上のアイドル・モード・キャンピングを強制するＲＦＳＰ値を選択することである。
●  ローミング加入者について、ＡＭＦは、代替として、訪問先ネットワーク・ポリシーに基づいて使用中のＲＦＳＰインデックスを選択してもよいが、ホーム・パブリック地上モバイル・ネットワーク（ＨＰＬＭＮ）からの入力を考慮に入れることができる（例えば、ＨＰＬＭＮごとに事前に設定されたＲＦＳＰインデックス値、又はＨＰＬＭＮから独立したすべてのローマーに使用される単一のＲＦＳＰインデックス値）。
●  使用中のＲＦＳＰインデックスはまた、Ｘｎ又はＮ２がイントラＮＧ  ＲＡＮハンドオーバのために使用される場合に、ソースからターゲットＲＡＮノードに転送される。
●  ＡＭＦは、受信した加入されたＲＦＳＰインデックス値及び使用中のＲＦＳＰインデックス値を格納する。登録更新手続きの間に、ＡＭＦは、使用中のＲＦＳＰインデックス値を更新してもよい（例えば、ＡＭＦ内のＵＥ関連コンテキスト情報が変更されたならば、ＡＭＦは、使用中のＲＦＳＰインデックス値を更新する必要があるかもしれない）。使用中のＲＦＳＰインデックス値が変更されると、ＡＭＦは既存のＵＥコンテキストを変更するか、ＲＡＮで新しいＵＥコンテキストを確立することによって、又はユーザ・プレーンの確立が必要でないならば、使用中の更新されたＲＦＳＰインデックス値をダウンリンクＮＡＳトランスポート・メッセージに含めるように構成されることによって、更新されたＲＦＳＰインデックス値をすぐにＲＡＮノードに提供する。ＡＭＦ間モビリティ手順の間、ソースＡＭＦは、両方のＲＦＳＰインデックス値をターゲットＡＭＦに転送する。ターゲットＡＭＦは、使用中の受信ＲＦＳＰインデックス値を、オペレータのポリシー及びターゲットＡＭＦで使用可能なＵＥ関連コンテキスト情報に基づく、使用中の新しいＲＦＳＰインデックス値で置き換えてもよい。
既存のソリューションの問題点
【００２４】
既存のソリューションに伴う一つの問題は、ＵＥが登録されているすべてのスライスの知識をｇＮＢが有しているのではないが、すべての周波数帯が同じスライスをサポートするわけではないシナリオにおいて、ＵＥがキャンプする周波数を制御するために使用されうる専用プライオリティをＵＥに割り当てるために、ｇＮＢがこの情報を知る必要があることである。
【００２５】
言い換えると、問題は、すべての周波数帯又はＲＡＴが同じスライスをサポートするわけではないシナリオにおいて、ＵＥがキャンプするか又は通信するセル、周波数、及びＲＡＴを制御するために使用されうる専用プライオリティをＵＥにどのように割り当てるかということである。
【発明の概要】
【００２６】
上記の課題に対処するために、以下のソリューションが提示される。
【００２７】
一つの態様によれば、無線アクセス・ネットワーク（ＲＡＮ）ノードと通信するようにコア・ネットワーク（ＣＮ）ノードが構成され、前記ＣＮノードは、無線アクセス技術（ＲＡＴ）及び／又は周波数選択のための情報を決定することと、前記決定された情報を前記ＲＡＮノードへ送信することと、を行うように構成された処理回路を備え、前記処理回路が、ネットワーク・スライスの知識に基づいて前記決定された情報を決定するようにさらに構成されることと、前記処理回路が、前記決定された情報とともに、ネットワーク・スライスの前記知識を前記ＲＡＮノードへ送信するようにさらに構成されることと、の少なくとも一つを特徴とする。
【００２８】
いくつかの実施形態では、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える。
【００２９】
いくつかの実施形態では、ネットワーク・スライスの前記知識は、前記ネットワークにおけるネットワーク・スライスの可用性、ＵＥについてのアクティブ・スライス、前記ＵＥが登録又は接続されているスライス、及び／又は加入情報に基づいて前記ＵＥがアクセスを許可されているスライスの知識を含む。
【００３０】
いくつかの実施形態では、ＲＡＴ及び／又は周波数選択のための前記情報は、インデックス・パラメータを含む。
【００３１】
いくつかの実施形態では、前記インデックス・パラメータは、ＲＡＴ及び／又は周波数選択プライオリティ（ＲＦＳＰ）インデックスを含む。
【００３２】
いくつかの実施形態では、ネットワーク・スライスの前記知識は、ユーザ機器（ＵＥ）、ＲＡＮノード、又は他のノードから前記ＣＮノードに提供される。
【００３３】
いくつかの実施形態では、ＲＡＴ及び／又は周波数選択のための前記情報は、ＵＥがキャンプする周波数を制御するために使用される情報を含む。
【００３４】
いくつかの実施形態では、ＲＡＴ及び／又は周波数選択のための前記情報は、アイドル・モード再選択のための周波数プライオリティを構成するために使用される情報を含む。
【００３５】
別の態様によれば、コア・ネットワーク（ＣＮ）ノードにおいて方法が実施され、前記方法は、ＲＡＴ及び／又は周波数選択のための情報を決定することと、
前記決定された情報をＲＡＮノードへ送信することと、を有し、前記情報を決定することが、ネットワーク・スライスの知識に基づいて前記情報を決定することを含むことと、前記決定された情報を送信することが、前記決定された情報とともに、ネットワーク・スライスの前記知識を前記ＲＡＮノードへ送信することをさらに含むことと、の少なくとも一つを特徴とする。
【００３６】
いくつかの実施形態では、前記ＣＮノードは、ＡＭＦ、ＳＭＦ、ＭＭＥ、又はＨＳＳのうちの一つを備える。
【００３７】
いくつかの実施形態では、ネットワーク・スライスの前記知識は、前記ネットワークにおけるネットワーク・スライスの可用性、前記ＵＥについてのアクティブ・スライス、前記ＵＥが登録又は接続されているスライス、及び／又は加入情報に基づいて前記ＵＥがアクセスを許可されているスライスの知識を含む。
【００３８】
いくつかの実施形態では、ＲＡＴ及び／又は周波数選択のための前記情報は、インデックス・パラメータを含む。
【００３９】
いくつかの実施形態では、前記インデックス・パラメータは、ＲＦＳ）インデックスを含む。
【００４０】
いくつかの実施形態では、ネットワーク・スライスの前記知識は、ＵＥ、ＲＡＮノード、又は他のノードから前記ＣＮノードに提供される。
【００４１】
いくつかの実施形態では、ＲＡＴ及び／又は周波数選択のための前記情報は、ＵＥがキャンプする周波数を制御するために使用される情報を含む。
【００４２】
いくつかの実施形態では、ＲＡＴ及び／又は周波数選択のための前記情報は、アイドル・モード再選択のための周波数プライオリティを構成するために使用される情報を含む。
【００４３】
別の態様によれば、ＵＥと通信するようにＲＡＮノードが構成され、前記ＲＡＮノードは、無線インタフェースと、処理回路であって、ＲＡＴ及び／又は周波数選択のための情報を受信することと、アイドル・モード・キャンピング及び／又はアクティブ・モード・モビリティを制御するためのＵＥ固有セル再選択プライオリティを決定するために前記受信した情報を使用することと、前記ＵＥ固有セル再選択プライオリティを前記ＵＥに提供することと、を行うように構成された処理回路と、を備え、ＲＡＴ及び／又は周波数選択のための前記受信された情報が、ネットワーク・スライスの知識に基づいて決定されたことと、ＲＡＴ及び／又は周波数選択のための前記受信された情報が、ネットワーク・スライスの前記知識をさらに含み、前記処理回路が、前記ＵＥ固有セル再選択プライオリティを決定している間にネットワーク・スライスの前記知識を使用するようにさらに構成されることと、のうちの少なくとも一つを特徴とする。
【００４４】
いくつかの実施形態では、ネットワーク・スライスの前記知識は、前記ネットワークにおけるネットワーク・スライスの可用性、前記ＵＥについてのアクティブ・スライス、前記ＵＥが登録又は接続されているスライス、及び／又は加入情報に基づいて前記ＵＥがアクセスを許可されているスライスの知識を含む。
【００４５】
いくつかの実施形態では、ＲＡＴ及び／又は周波数選択のための前記情報は、インデックス・パラメータを含む。
【００４６】
いくつかの実施形態では、前記インデックス・パラメータは、ＲＦＳＰインデックスを含む。
【００４７】
いくつかの実施形態では、前記処理回路は、前記ＵＥ、ＲＡＮノード、又は別のノードからネットワーク・スライスの前記知識を受信するようにさらに構成される。
【００４８】
いくつかの実施形態では、ＲＡＴ及び／又は周波数選択のための前記情報は、ＵＥがキャンプする周波数を制御するために使用される情報を含む。
【００４９】
いくつかの実施形態では、前記ＲＡＴ及び／又は周波数選択のための前記情報は、アイドル・モード再選択のための周波数プライオリティを構成するために使用される情報を含む。
【００５０】
いくつかの実施形態では、前記ＲＡＮノードは、拡張型又は発展型ノードＢ（ｅＮＢ）又はニュー・ラジオ基地局（ｇＮＢ）を含む。
【００５１】
別の態様によれば、ＲＡＮノードにおいて方法が実施され、前記方法は、ＲＡＴ及び／又は周波数選択のための情報を受信することと、アイドル・モード・キャンピング及び／又はアクティブ・モード・モビリティを制御するためのＵＥ固有セル再選択プライオリティを決定するために前記受信した情報を使用することと、前記ＵＥ固有セル再選択プライオリティを前記ＵＥに提供することと、を有し、ＲＡＴ及び／又は周波数選択のための前記受信された情報が、ネットワーク・スライスの知識に基づいて決定されたことと、ＲＡＴ及び／又は周波数選択のための前記受信された情報が、ネットワーク・スライスの前記知識をさらに含み、前記ＵＥ固有セル再選択プライオリティを決定するために前記受信した情報を使用することが、ＵＥ固有セル再選択プライオリティを決定するためにネットワーク・スライスの前記知識を使用することをさらに含むことと、のうちの少なくとも一つを特徴とする。
【００５２】
いくつかの実施形態では、ネットワーク・スライスの前記知識は、前記ネットワークにおけるネットワーク・スライスの可用性、前記ＵＥについてのアクティブ・スライス、前記ＵＥが登録又は接続されているスライス、及び／又は加入情報に基づいて前記ＵＥがアクセスを許可されているスライスの知識を含む。
【００５３】
いくつかの実施形態では、ＲＡＴ及び／又は周波数選択のための前記情報は、インデックス・パラメータを含む。
【００５４】
いくつかの実施形態では、前記インデックス・パラメータは、ＲＦＳＰインデックスを含む。
【００５５】
いくつかの実施形態では、ＲＡＴ及び／又は周波数選択のための前記情報は、ＵＥがキャンプする周波数を制御するために使用される情報を含む。
【００５６】
いくつかの実施形態では、ＲＡＴ及び／又は周波数選択のための前記情報は、アイドル・モード再選択のための周波数プライオリティを構成するために使用される情報を含む。
【００５７】
別の態様によれば、ホスト・コンピュータを含む通信システムは、ユーザ・データを提供するように構成された処理回路と、ＵＥへの送信のためにセルラー・ネットワークへ前記ユーザ・データを転送するように構成された通信インタフェースと、を備え、前記セルラー・ネットワークは、処理回路を有するＣＮノードを備え、前記ＣＮノードの処理回路は、ＲＡＴ及び／又は周波数選択のための情報を決定することと、前記決定された情報をＲＡＮノードへ送信することと、を行うように構成され、前記ＣＮノードの前記処理回路が、ネットワーク・スライスの知識に基づいて前記決定された情報を決定するようにさらに構成されることと、前記ＣＮノードの前記処理回路が、前記決定された情報とともに、ネットワーク・スライスの前記知識を前記ＲＡＮノードへ送信するようにさらに構成されることと、の少なくとも一つを特徴とする。
【００５８】
いくつかの実施形態では、前記システムは、前記ＲＡＮノードをさらに含む。
【００５９】
いくつかの実施形態では、前記システムは、前記ＵＥをさらに含み、前記ＵＥは、前記ＲＡＮノードと通信するように構成される。
【００６０】
いくつかの実施形態では、前記ホスト・コンピュータの前記処理回路は、ホスト・アプリケーションを実行し、それによって前記ユーザ・データを提供するように構成され、前記ＵＥは、前記ホスト・アプリケーションに関連するクライアント・アプリケーションを実行するように構成された処理回路を備える。
【００６１】
いくつかの実施形態では、前記ＣＮノードは、ＡＭＦ、ＳＭＦ、ＭＭＥ、又はＨＳＳのうちの一つを備える。
【００６２】
いくつかの実施形態では、ネットワーク・スライスの前記知識は、前記ネットワークにおけるネットワーク・スライスの可用性、前記ＵＥについてのアクティブ・スライス、前記ＵＥが登録又は接続されているスライス、及び／又は加入情報に基づいて前記ＵＥがアクセスを許可されているスライスの知識を含む。
【００６３】
いくつかの実施形態では、ＲＡＴ及び／又は周波数選択のための前記情報は、インデックス・パラメータを含む。
【００６４】
いくつかの実施形態では、前記インデックス・パラメータは、ＲＦＳＰインデックスを含む。
【００６５】
いくつかの実施形態では、ネットワーク・スライスの前記知識は、ＵＥ、ＲＡＮノード、又は他のノードから前記ＣＮノードに提供される。
【００６６】
いくつかの実施形態では、ＲＡＴ及び／又は周波数選択のための前記情報は、ＵＥがキャンプする周波数を制御するために使用される情報を含む。
【００６７】
いくつかの実施形態では、ＲＡＴ及び／又は周波数選択のための前記情報は、アイドル・モード再選択のための周波数プライオリティを構成するために使用される情報を含む。
【００６８】
いくつかの実施形態では、ホスト・コンピュータ、ＣＮノード、ＲＡＮノード、及びＵＥを含む通信システムにおいて方法が実施され、前記方法は、前記ホスト・コンピュータにおいて、ユーザ・データを提供することと、前記ホスト・コンピュータにおいて、前記ＣＮノードを含むセルラー・ネットワークを介して前記ＵＥへ前記ユーザ・データを伝える送信を開始することと、を有し、前記ＣＮノードは、ネットワーク・スライスの知識に基づいてＲＡＴ及び／又は周波数選択のための情報を決定することと、前記情報を前記ＲＡＮノードへ送信することと、を行い、前記ＣＮノードが、ネットワーク・スライスの知識に基づいて前記情報を決定することと、前記ＣＮノードが、前記決定された情報とともに、ネットワーク・スライスの前記知識を前記ＲＡＮノードへ送信することと、の少なくとも一つを特徴とする。
【００６９】
いくつかの実施形態では、前記ＣＮノードは、ＡＭＦ、ＳＭＦ、ＭＭＥ、又はＨＳＳのうちの一つを備える。
【００７０】
いくつかの実施形態では、ネットワーク・スライスの前記知識は、前記ネットワークにおけるネットワーク・スライスの可用性、前記ＵＥについてのアクティブ・スライス、前記ＵＥが登録又は接続されているスライス、及び／又は加入情報に基づいて前記ＵＥがアクセスを許可されているスライスの知識を含む。
【００７１】
いくつかの実施形態では、ＲＡＴ及び／又は周波数選択のための前記情報は、インデックス・パラメータを含む。
【００７２】
いくつかの実施形態では、前記インデックス・パラメータは、ＲＦＳ）インデックスを含む。
【００７３】
いくつかの実施形態では、ネットワーク・スライスの前記知識は、ＵＥ、ＲＡＮノード、又は他のノードから前記ＣＮに提供される。
【００７４】
いくつかの実施形態では、ＲＡＴ及び／又は周波数選択のための前記情報は、ＵＥがキャンプする周波数を制御するために使用される情報を含む。
【００７５】
いくつかの実施形態では、ＲＡＴ及び／又は周波数選択のための前記情報は、アイドル・モード再選択のための周波数プライオリティを構成するために使用される情報を含む。
【００７６】
別の態様によれば、ホスト・コンピュータを含む通信システムは、ユーザ・データをユーザ機器に提供するように構成された処理回路と、ＵＥへの送信のために前記ユーザ・データをセルラー・ネットワークに転送するように構成された処理インタフェースと、を備え、前記セルラー・ネットワークは、無線インタフェース及び処理回路を有するＲＡＮノードを含み、前記ＲＡＮノードの処理回路は、ＲＡＴ及び／又は周波数選択のための情報を決定することと、アイドル・モード・キャンピング及び／又はアクティブ・モード・モビリティを制御するためのＵＥ固有セル再選択プライオリティを決定するために前記受信された情報を使用することと、前記ＵＥ固有セル再選択プライオリティを前記ＵＥに提供することと、を行うように構成され、ＲＡＴ及び／又は周波数選択のための前記受信された情報が、ネットワーク・スライスの知識に基づいて決定されたことと、ＲＡＴ及び／又は周波数選択のための前記受信された情報が、ネットワーク・スライスの前記知識をさらに含み、前記ＲＡＮの前記処理回路が、ＵＥ固有セル再選択プライオリティを決定している間にネットワーク・スライスの前記知識を使用するようにさらに構成されることと、のうちの少なくとも一つを特徴とする。
【００７７】
いくつかの実施形態では、前記ＲＡＮノードは、ｅＮＢ又はｇＮＢを含む。
【００７８】
いくつかの実施形態では、前記ＲＡＮノードは、前記情報を供給するためのＣＮノードから前記情報を受信するように構成される。
【００７９】
いくつかの実施形態では、前記ＣＮノードは、ＡＭＦ、ＳＭＦ、ＭＭＥ、又はＨＳＳのうちの一つを備える。
【００８０】
いくつかの実施形態では、前記システムは、前記ＣＮノードをさらに含む。
【００８１】
いくつかの実施形態では、前記ＲＡＮノードは、前記情報を供給するための前記ＵＥから前記情報を受信するように構成される。
【００８２】
いくつかの実施形態では、前記システムは、前記ＵＥをさらに含み、前記ＵＥは、前記ＲＡＮノードと通信するように構成される。
【００８３】
いくつかの実施形態では、前記ホスト・コンピュータの前記処理回路は、ホスト・アプリケーションを実行し、それによって前記ユーザ・データを提供するように構成され、前記ＵＥは、前記ホスト・アプリケーションに関連するクライアント・アプリケーションを実行するように構成された処理回路を備える。
【００８４】
いくつかの実施形態では、ＲＡＴ及び／又は周波数選択のための前記情報は、ＵＥがキャンプする周波数を制御するために使用される情報を含む。
【００８５】
いくつかの実施形態では、ＲＡＴ及び／又は周波数選択のための前記情報は、アイドル・モード再選択のための周波数プライオリティを構成するために使用される情報を含む。
【００８６】
別の態様によれば、ホスト・コンピュータ、ＲＡＮノード、及びＵＥを含む通信システムにおいて方法が実施され、前記方法は、前記ホスト・コンピュータにおいて、ユーザ・データを提供することと、前記ホスト・コンピュータにおいて、前記ＲＡＮノードを含むセルラー・ネットワークを介して前記ＵＥへ前記ユーザ・データを伝える送信を開始することと、を有し、前記ＲＡＮノードは、ＲＡＴ及び／又は周波数選択のための情報を受信することと、アイドル・モード・キャンピング及び／又はアクティブ・モード・モビリティを制御するためのＵＥ固有セル再選択プライオリティを決定するために前記受信された情報を使用することと、前記ＵＥ固有セル再選択プライオリティを前記ＵＥに提供することと、を行い、ＲＡＴ及び／又は周波数選択のための前記受信された情報が、ネットワーク・スライスの知識に基づいて決定されたことと、ＲＡＴ及び／又は周波数選択のための前記受信された情報が、ネットワーク・スライスの前記知識をさらに含み、前記ＲＡＮが、ＵＥ固有セル再選択プライオリティを決定している間にネットワーク・スライスの前記知識を使用することと、のうちの少なくとも一つを特徴とする。
【００８７】
いくつかの実施形態では、前記ユーザ・データは、ホスト・アプリケーションを実行することによって前記ホスト・コンピュータにおいて提供され、前記方法は、前記ＵＥにおいて、前記ホスト・アプリケーションに関連付けられたクライアント・アプリケーションを実行することをさらに有する。
【００８８】
いくつかの実施形態では、ＲＡＴ及び／又は周波数選択のための前記情報は、ＵＥがキャンプする周波数を制御するために使用される情報を含む。
【００８９】
いくつかの実施形態では、ＲＡＴ及び／又は周波数選択のための前記情報は、アイドル・モード再選択のための周波数プライオリティを構成するために使用される情報を含む。
【図面の簡単な説明】
【００９０】
本明細書に組み込まれ、この一部を形成する添付の図面は本開示のいくつかの側面を示し、説明とともに本開示の原理を説明するのに役立つ。
【００９１】
【図１】ネットワーク・スライシング概念を示す。
【００９２】
【図２】、
【図３】いくつかの実施形態による無線電気通信ネットワークを概略的に示す。
【００９３】
【図４】いくつかの実施形態によるユーザ機器（ＵＥ）を示す。
【００９４】
【図５】いくつかの実施形態による仮想化環境を示す。
【００９５】
【図６】いくつかの実施形態に従って、中間ネットワークを介してホスト・コンピュータに接続された電気通信ネットワークを示す。
【００９６】
【図７】いくつかの実施形態による、基地局又は他の無線アクセス・ネットワーク（ＲＡＮ）ノードを介してＵＥと部分無線接続で通信するホスト・コンピュータの一般化されたブロック図である。
【００９７】
【図８】、
【図９】、
【図１０】、
【図１１】いくつかの実施形態による、ホスト・コンピュータ、基地局又は他のＲＡＮノード、及びＵＥを含む通信システムにおいて実施される方法を示すフローチャートである。
【００９８】
【図１２】いくつかの実施形態による仮想化装置を示す。
【００９９】
【図１３】いくつかの実施形態によるＲＡＮノードにおいて実施される方法を示すフローチャートである。
【０１００】
【図１４】いくつかの実施形態によるコア・ネットワーク（ＣＮ）ノードにおいて実施される方法を示すフローチャートである。
【発明を実施するための形態】
【０１０１】
以下に記載される実施形態は当業者が実施形態を実施できるようにする情報を表し、実施形態を実施する最良の形態を示す。添付の図面に照らして以下の説明を読むと、当業者は本開示の概念を理解し、本書で特に対処されないこれらの概念の用途を認識するのであろう。これらの概念及び用途は、本開示の範囲内にあることを理解されたい。
【０１０２】
異なるセル又は周波数層は、ネットワーク・スライシングのための異なるサポートを有してもよい。一つの問題は、スライスに登録されているユーザ機器（ＵＥ）が当該スライスをサポートする周波数又はセルをどのように選択するかである。すべてのスライスがネットワーク全体で使用可能であると予想されるわけではないが、スライス可用性はＵＥ登録エリアにわたって構成されるべきである。この理由のために、例えば、無線アクセス技術（ＲＡＴ）/周波数選択プライオリティ（ＲＦＳＰ）インデックスのような専用シグナリングを使用して、スライス可用性に関する情報がＵＥに提供されるべきである。
【０１０３】
一つの問題は、加入情報に基づいて、ＵＥが現在登録されているスライス、ＵＥが現在接続されているスライス、又はＵＥがアクセスを許可されているスライスについて、必ずしも無線アクセス・ネットワーク（ＲＡＮ）が知識を有していないことである。しかし、この情報は、認証管理機能（ＡＭＦ）、モビリティ管理エンティティ（ＭＭＥ）、又はセッション管理機能（ＳＭＦ）のような一部のコア・ネットワーク（ＣＮ）エンティティで使用可能である。
【０１０４】
すべての周波数帯又はＲＡＴが同じスライスをサポートするわけではないシナリオにおいて、ＵＥがキャンプするか又は通信するセル、周波数、及びＲＡＴを制御するために使用されうる専用プライオリティをＵＥにどのように割り当てるかという問題に対処するために、本開示の実施形態は、ネットワーク・スライス可用性に基づくＲＡＴ又は周波数選択のための方法及びシステムを含む。
【０１０５】
いくつかの実施形態では、選択は、例えば、加入情報に基づいて、ネットワークでの（例えば、ＵＥ登録エリア内の）ネットワーク・スライス、ＵＥについてのアクティブ・ネットワーク・スライス、ＵＥが登録されているか接続されているネットワーク・スライス、及び、ＵＥがアクセスを許可されているネットワーク・スライスの可用性のような情報を考慮するが、これらに限定されない。ある実施形態では、選択は、ＲＦＳＰインデックス値を選択することを含む。
【０１０６】
図２は、本書で説明される様々な態様によるワイヤレス・ネットワークの一実施形態を示す。本書で説明される主題は任意の適切なコンポーネントを使用して任意の適切なタイプのシステムで実装されてもよいが、本書で開示される実施形態は図２に示される例示的なワイヤレス・ネットワークのようなワイヤレス・ネットワークに関連して説明される。簡潔にするために、図２のワイヤレス・ネットワークはネットワーク２０６、ネットワーク・ノード２６０及び２６０ｂ、ならびにワイヤレス・デバイス（ＷＤ）２１０、２１０ｂ、及び２１０ｃのみを示す。実際には、ワイヤレス・ネットワークは、ワイヤレス・デバイス間又はワイヤレス・デバイスと他の通信デバイス、例えば、固定電話、サービス・プロバイダ、又は他の任意のネットワーク・ノード又はエンド・デバイスとの間の通信をサポートするのに適した任意の追加要素をさらに含んでもよい。図示されたコンポーネントのうち、ネットワーク・ノード２６０及びＷＤ２１０は、さらなる詳細を伴って示されている。ワイヤレス・ネットワークは、ワイヤレス・ネットワークによって、又はワイヤレス・ネットワークを介して提供されるサービスへのワイヤレス・デバイスのアクセス及び／又は使用を容易にするために、一つ以上のワイヤレス・デバイスに通信及び他のタイプのサービスを提供してもよい。
【０１０７】
ワイヤレス・ネットワークは、任意のタイプの通信、電気通信、データ、セルラー、及び／又は無線ネットワーク、又は他の同様のタイプのシステムを含んでいてもよく、及び／又はこれらと対話してもよい。いくつかの実施形態では、ワイヤレス・ネットワークは、特定の標準又は他のタイプの事前に規定されたルール又は手続きに従って動作するように構成されてもよい。したがって、ワイヤレス・ネットワークの特定の実施形態は、移動体通信向けグローバル・システム（ＧＳＭ）、ユニバーサル移動体通信システム（ＵＭＴＳ）、ロング・ターム・エボリューション（ＬＴＥ）、及び／又は他の適切な第２世代（２Ｇ）、第３世代（３Ｇ）、第４世代（４Ｇ）、又は第５世代（５Ｇ）標準のような通信標準、ＩＥＥＥ８０２．１１標準のようなワイヤレス・ローカル・エリア・ネットワーク（ＷＬＡＮ）標準、及び／又はマイクロ波アクセス向けワールドワイド・インタオペラビリティ（ＷｉＭａｘ）、Ｂｌｕｅｔｏｏｔｈ（登録商標）、ＺＷａｖｅ（登録商標）、及び／又はＺｉｇＢｅｅ標準のような任意の他の適切なワイヤレス通信標準を実装してもよい。
【０１０８】
ネットワーク２０６は、一つ以上のバックホール・ネットワーク、ＣＮ、インターネット・プロトコル（ＩＰ）ネットワーク、公衆交換電話ネットワーク（ＰＳＴＮ）、パケット・データ・ネットワーク、光ネットワーク、ワイド・エリア・ネットワーク（ＷＡＮ）、ローカル・エリア・ネットワーク（ＬＡＮ）、ＷＬＡＮ、有線ネットワーク、ワイヤレス・ネットワーク、メトロポリタン・エリア・ネットワーク、及びデバイス間の通信を可能にする他のネットワークを含んでもよい。ネットワーク・ノード２６０及びＷＤ２１０は、以下でより詳細に説明する様々なコンポーネントを備える。これらのコンポーネントは、ワイヤレス・ネットワークでワイヤレス接続を提供するようなネットワーク・ノード及び／又はワイヤレス・デバイスの機能を提供するために連動する。異なる実施形態では、ワイヤレス・ネットワークは、任意の数の有線又はワイヤレス・ネットワーク、ネットワーク・ノード、基地局、コントローラ、ワイヤレス・デバイス、中継局、及び／又は有線又はワイヤレス接続を介するかどうかにかかわらず、データ及び／又は信号の通信を容易にするか又は参加してもよい任意の他のコンポーネント又はシステムを備えてもよい。
【０１０９】
本書で使用されるように、ネットワーク・ノードは、ワイヤレス・デバイスへのワイヤレス・アクセスを可能にする及び／又は提供するように、及び／又はワイヤレス・ネットワーク内の他の機能（例えば、管理）を実行するように、ワイヤレス・デバイス及び／又はワイヤレス・ネットワーク内の他のネットワーク・ノード又は機器と直接に又は間接的に通信することが可能な、構成された、及び／又は動作可能な機器を指す。ネットワーク・ノードの例は、アクセス・ポイント（ＡＰ）（例えば、無線アクセス・ポイント）、基地局（例えば、無線基地局、ノードＢ、発展型又は強化型ノードＢ（ｅＮＢ）及びニュー・ラジオ（ＮＲ）基地局（ｇＮＢ））を含むが、これらに限定されない。基地局は、それらが提供するカバレージの量（又は別の言い方をすれば、それらの送信電力レベル）に基づいて分類されてもよく、次いで、フェムト基地局、ピコ基地局、マイクロ基地局、又はマクロ基地局とも呼ばれてもよい。基地局は、リレーを制御するリレー・ノード又はリレー・ドナー・ノードであってもよい。また、ネットワーク・ノードは、集中型デジタル・ユニット及び／又は遠隔無線ユニット（ＲＲＵ）（遠隔無線ヘッド（ＲＲＨ）と呼ばれることもある）のような分散型無線基地局の一つ以上の（又はすべての）部分を含んでもよい。このような遠隔無線ユニットは、アンテナ一体型無線機としてアンテナに統合されてもよいし、統合されなくてもよい。分散型無線基地局の一部は、分散型アンテナ・システム（ＤＡＳ）におけるノードとも呼ばれてもよい。ネットワーク・ノードのさらに別の例は、ＭＳＲ基地局のようなマルチ・スタンダード無線（ＭＳＲ）機器、無線ネットワーク・コントローラ（ＲＮＣ）又は基地局コントローラ（ＢＳＣ）のようなネットワーク・コントローラ、基地送受信局（ＢＴＳ）、伝送ポイント、伝送ノード、マルチセル／マルチキャスト協調エンティティ（ＭＣＥ）、ＣＮノード（例えば、移動交換局（ＭＳＣ）、ＭＭＥ）、動作及び保守（Ｏ＆Ｍ）ノード、動作サポート・システム（ＯＳＳ）ノード、自己組織化ネットワーク（ＳＯＮ）ノード、測位ノード（例えば、発展型サービング・モバイル一センタ（Ｅ‐ＳＭＬＣ））、及び／又は最小化及び駆動試験（ＭＤＴ）を含む。別の例として、ネットワーク・ノードは、以下でさらに詳細に説明するように、仮想ネットワーク・ノードであってもよい。しかし、より一般的に、ネットワーク・ノードは、ワイヤレス・ネットワークへのアクセスをワイヤレス・デバイスに可能にする及び／又は提供するように、及び／又はワイヤレス・ネットワークにアクセスしたワイヤレス・デバイスに何らかのサービスを提供するように、構成、配置、及び／又は動作可能な任意の適切なデバイス（又はデバイスのグループ）を表してもよい。
【０１１０】
図２において、ネットワーク・ノード２６０は、処理回路２７０、デバイス可読媒体２８０、インタフェース２９０、補助機器２８４、電源２８６、電力回路２８７、及びアンテナ２６２を含む。図２の例示的なワイヤレス・ネットワークに示されたネットワーク・ノード２６０はハードウェア・コンポーネントの図示された組合せを含むデバイスを表してもよいが、他の実施形態はコンポーネントの異なる組合せを有するネットワーク・ノードを備えてもよい。ネットワーク・ノードは、本書で開示されるタスク、特徴、機能、及び方法を実行するために必要とされるハードウェア及び／又はソフトウェアの任意の適切な組合せを備えることを理解されたい。さらに、ネットワーク・ノード２６０のコンポーネントはより大きなボックス内に配置された単一のボックスとして、又は複数のボックス内にネストされて描かれているが、実際にはネットワーク・ノードが単一の図示されたコンポーネントを構成する複数の異なる物理コンポーネントを含んでもよい（例えば、デバイス可読媒体２８０は複数の別個のハード・ドライブと、複数のランダム・アクセス・メモリ（ＲＡＭ）モジュールとを含んでもよい）。
【０１１１】
同様に、ネットワーク・ノード２６０は、複数の物理的に個別のコンポーネント（例えば、ノードＢコンポーネント及びＲＮＣコンポーネント、又はＢＴＳコンポーネント及びＢＳＣコンポーネントなど）から構成されてもよく、それらはそれぞれ、それら自体のそれぞれのコンポーネントを有してもよい。ネットワーク・ノード２６０が複数の個別のコンポーネント（例えば、ＢＴＳ及びＢＳＣコンポーネント）を含む特定のシナリオでは、個別のコンポーネントのうちの一つ以上が複数のネットワーク・ノード間で共有されてもよい。例えば、単一のＲＮＣは、複数のノードＢを制御してもよい。このようなシナリオでは、それぞれの一意のＮｏｄｅＢとＲＮＣとのペアは、場合によっては、単一の個別のネットワーク・ノードと見なされてもよい。いくつかの実施形態では、ネットワーク・ノード２６０が複数のＲＡＴをサポートするように構成されてもよい。このような実施形態では、いくつかのコンポーネントが複製されてもよく（例えば、異なるＲＡＴのための個別のデバイス可読媒体２８０）、いくつかのコンポーネントは再使用されてもよい（例えば、同じアンテナ２６２はＲＡＴによって共有されてもよい）。ネットワーク・ノード２６０はまた、例えば、ＧＳＭ、広帯域符号分割多元接続（ＷＣＤＭＡ）、ＬＴＥ、ＮＲ、ＷｉＦｉ、又はＢｌｕｅｔｏｏｔｈワイヤレス技術のような、ネットワーク・ノード２６０に統合された異なるワイヤレス技術のための、種々図示されたコンポーネントの複数の集合を含んでもよい。これらのワイヤレス技術は、ネットワーク・ノード２６０内の同じ又は異なるチップ又はチップの集合、及び他のコンポーネントに統合されてもよい。
【０１１２】
処理回路２７０は、ネットワーク・ノードによって提供されるものとして本書で説明される任意の判定、計算、又は同様の動作（例えば、特定の取得動作）を実行するように構成される。処理回路２７０によって実行されるこれらの動作は例えば、取得された情報を他の情報に変換すること、取得された情報又は変換された情報をネットワーク・ノードに格納された情報と比較すること、及び／又は取得された情報又は変換された情報に基づいて一つ以上の動作を実行すること、及び当該処理の結果として判定を行うことによって、処理回路２７０によって取得された情報を処理することを含んでもよい。
【０１１３】
処理回路２７０は、マイクロプロセッサ、コントローラ、マイクロコントローラ、中央処理ユニット、デジタル信号プロセッサ、特定用途向け集積回路、フィールド・プログラマブル・ゲート・アレイ、又は単独で、又はデバイス可読媒体２８０のような他のネットワーク・ノード２６０コンポーネントを連係して、ネットワーク・ノード２６０機能を提供するように動作可能である任意の他の適切なコンピューティング・デバイス、リソース、又はハードウェア、ソフトウェア、及び／又は符号化ロジックの組合せのうちの一つ以上の組合せを備えてもよい。例えば、処理回路２７０は、デバイス可読媒体２８０又は処理回路２７０内のメモリに記憶された命令を実行してもよい。このような機能は、本書で説明される様々なワイヤレス特徴、機能、又は利益のいずれかを提供することを含んでもよい。いくつかの実施形態では、処理回路２７０がシステム・オン・チップ（ＳＯＣ）を含んでもよい。
【０１１４】
いくつかの実施形態では、処理回路２７０が無線周波数（ＲＦ）送受信回路２７２及びベースバンド処理回路２７４のうちの一つ以上を含んでもよい。いくつかの実施形態では、ＲＦ送受信回路２７２及びベースバンド処理回路２７４が無線ユニット及びデジタル・ユニットのような、個別のチップ（又はチップの集合）、ボード、又はユニット上にあってもよい。代替の実施形態では、ＲＦ送受信回路２７２及びベースバンド処理回路２７４の一部又は全部が同じチップ又はチップの集合、ボード、又はユニット上にあってもよい。
【０１１５】
いくつかの実施形態では、ネットワーク・ノード、基地局、ｅＮＢ、又は他のこのようなネットワーク・デバイスによって提供されるものとして本書で説明される機能の一部又はすべては、処理回路２７０がデバイス可読媒体２８０又は処理回路２７０内のメモリ上に格納された命令を実行することによって実行されてもよい。代替の実施形態では、機能のいくつか又はすべてはハード・ワイヤード方式のように、個別の又は別個のデバイス可読媒体上に格納された命令を実行することなく、処理回路２７０によって提供されてもよい。これらの実施形態のいずれにおいても、デバイス可読記憶媒体上に格納された命令を実行するか否かにかかわらず、処理回路２７０は、説明された機能を実行するように構成されうる。このような機能によって提供される利点は、処理回路２７０単独又はネットワーク・ノード２６０の他のコンポーネントに限定されず、ネットワーク・ノード２６０全体によって、及び／又はエンド・ユーザ及び無線ネットワーク全体によって享受される。
【０１１６】
装置可読媒体２８０は、永続ストレージ、固体メモリ、遠隔マウントされたメモリ、磁気媒体、光学媒体、ＲＡＭ、リード・オンリ・メモリ（ＲＯＭ）、大容量記憶媒体（例えば、ハード・ディスク）、リムーバブル記憶媒体（例えば、フラッシュ・ドライブ、コンパクト・ディスク又はデジタル・ビデオ・ディスク（ＤＶＤ））、及び／又は処理回路２７０によって使用されてもよい情報、データ、及び／又は命令を格納する他の任意の揮発性又は不揮発性、非一時的なデバイス可読及び／又はコンピュータ実行可能メモリ・デバイスを含むがこれらに限定されない任意の形態の揮発性又は不揮発性コンピュータ可読メモリを含んでもよい。デバイス可読媒体２８０は、コンピュータ・プログラム、ソフトウェア、ロジック、ルール、コード、テーブルなどのうちの一つ以上を含むアプリケーション、及び／又は処理回路２７０によって実行され、ネットワーク・ノード２６０によって利用されることが可能な他の命令を含む、任意の適切な命令、データ、又は情報を格納してもよい。デバイス可読媒体２８０は、処理回路２７０によって行われた任意の演算、及び／又はインタフェース２９０を介して受信された任意のデータを格納するために使用されてもよい。いくつかの実施形態では、処理回路２７０及びデバイス可読媒体２８０が一体化されているとみなされてもよい。
【０１１７】
インタフェース２９０は、ネットワーク・ノード２６０、ネットワーク２０６、及び／又はＷＤ２１０間のシグナリング及び／又はデータの有線又はワイヤレス通信に使用される。図示のように、インタフェース２９０は、例えば有線接続を介してネットワーク２０６へ及びネットワーク２０６からデータを送受信するための一つ以上のポート端子２９４を含む。インタフェース２９０はまた、アンテナ２６２に、又は特定の実施形態ではアンテナ２６２の一部に結合されてもよい無線フロントエンド回路２９２を含む。無線フロントエンド回路２９２は、フィルタ２９８及び増幅器２９６を含む。無線フロントエンド回路２９２は、アンテナ２６２及び処理回路２７０に接続されてもよい。無線フロントエンド回路は、アンテナ２６２と処理回路２７０との間で通信される信号を条件付けるように構成されてもよい。無線フロントエンド回路２９２は、ワイヤレス接続を介して他のネットワーク・ノード又はＷＤに送出されるデジタル・データを受信してもよい。無線フロントエンド回路２９２は、フィルタ２９８及び／又は増幅器２９６の組合せを使用して、デジタル・データを、適切なチャネル及び帯域幅パラメータを有する無線信号に変換してもよい。その後、無線信号は、アンテナ２６２を介して送信されてもよい。同様に、データを受信する際に、アンテナ２６２は無線信号を収集し、その後、無線信号は無線フロントエンド回路２９２によってデジタル・データに変換される。デジタル・データは、処理回路２７０に渡されてもよい。他の実施形態では、インタフェースが異なるコンポーネント及び／又はコンポーネントの異なる組合せを含んでもよい。
【０１１８】
特定の代替の実施形態では、ネットワーク・ノード２６０が別個の無線フロントエンド回路２９２を含んでいなくてもよく、代わりに、処理回路２７０が無線フロントエンド回路を含んでいてもよく、別個の無線フロントエンド回路２９２を伴わずにアンテナ２６２に接続されてもよい。同様に、いくつかの実施形態では、ＲＦ送受信回路２７２のすべて又はいくつかはインタフェース２９０の一部と見なされてもよい。さらに他の実施形態では、インタフェース２９０が無線ユニット（図示せず）の一部として、一つ以上のポート又は端子２９４、無線フロントエンド回路２９２、及びＲＦ送受信回路２７２を含んでもよく、インタフェース２９０はデジタル・ユニット（図示せず）の一部であるベースバンド処理回路２７４と通信してもよい。
【０１１９】
アンテナ２６２は、ワイヤレス信号を送信及び／又は受信するように構成された一つ以上のアンテナ、又はアンテナアレイを含んでもよい。アンテナ２６２は、無線フロントエンド回路２９２に結合されてもよく、無線でデータ及び／又は信号を送受信できる任意のタイプのアンテナであってもよい。いくつかの実施形態で、アンテナ２６２は例えば、２ＧＨｚと６６ＧＨｚとの間で無線信号を送信／受信するように動作可能な一つ以上の無指向性セクタ又はパネル・アンテナを備えてもよい。無指向性アンテナは任意の方向に無線信号を送信／受信するために使用されてもよく、セクタ・アンテナは特定のエリア内のデバイスから無線信号を送信／受信するために使用されてもよく、パネル・アンテナは比較的に見通し線で無線信号を送信／受信するために使用される見通し線アンテナであってもよい。いくつかの例では、二つ以上のアンテナの使用が多入力多出力（ＭＩＭＯ）と呼ばれてもよい。特定の実施形態では、アンテナ２６２がネットワーク・ノード２６０とは別個であってもよく、インタフェース又はポートを介してネットワーク・ノード２６０に接続可能であってもよい。
【０１２０】
アンテナ２６２、インタフェース２９０、及び／又は処理回路２７０は、ネットワーク・ノードによって実行されるものとして本書で説明される任意の受信動作及び／又は特定の取得動作を実行するように構成されてもよい。任意の情報、データ、及び／又は信号は、ワイヤレス・デバイス、別のネットワーク・ノード、及び／又は任意の他のネットワーク機器から受信されてもよい。同様に、アンテナ２６２、インタフェース２９０、及び／又は処理回路２７０は、ネットワーク・ノードによって実行されるものとして本書に記載される任意の送信動作を実行するように構成されてもよい。任意の情報、データ、及び／又は信号は、ワイヤレス・デバイス、別のネットワーク・ノード、及び／又は任意の他のネットワーク機器に送信されてもよい。
【０１２１】
電力回路２８７は、電力管理回路を備えてもよく、又は電力管理回路に結合されてもよく、本書に記載される機能を実行するための電力をネットワーク・ノード２６０のコンポーネントに供給するように構成される。電源回路２８７は、電源２８６から電力を受け取ってもよい。電源２８６及び／又は電力回路２８７はそれぞれのコンポーネントに適した形態で（例えば、それぞれのコンポーネントに必要な電圧及び電流レベルで）ネットワーク・ノード２６０の様々なコンポーネントに電力を供給するように構成されてもよい。電源２８６は、電力回路２８７及び／又はネットワーク・ノード２６０に含まれるか、又はその外部にあってもよい。例えば、ネットワーク・ノード２６０は電気ケーブルのような入力回路又はインタフェースを介して、外部電源（例えば、電気コンセント）に接続可能であってもよく、これによって、外部電源は、電力回路２８７に電力を供給する。さらなる例として、電源２８６は、電力回路２８７に接続される、又は統合される、バッテリ又はバッテリ・パックの形態の電源を含んでもよい。外部電源に障害が発生した場合、バッテリからバックアップ電力が供給されてもよい。光起電装置のような他のタイプの電源も使用されてもよい。
【０１２２】
ネットワーク・ノード２６０の代替の実施形態は、本書で説明される機能のいずれか、及び／又は本書で説明される主題をサポートするために必要な任意の機能を含む、ネットワーク・ノードの機能のある態様を提供する責任を負ってもよい図２に示されるものを超える追加のコンポーネントを含んでもよい。例えば、ネットワーク・ノード２６０は、ネットワーク・ノード２６０への情報の入力を可能にし、ネットワーク・ノード２６０からの情報の出力を可能にするユーザ・インタフェース機器を含んでもよい。これにより、ユーザは、ネットワーク・ノード２６０の診断、保守、修理、及びその他の管理機能を実行可能であってもよい。
【０１２３】
本書で使用されるように、ＷＤは、ネットワーク・ノード及び／又は他のワイヤレス・デバイスとワイヤレスに通信することが可能か、構成されるか、配置されるか、及び／又は動作可能なデバイスを指す。特に断らない限り、ＷＤという用語は、本書ではＵＥと互換的に使用されてもよい。ワイヤレスで通信することは、電磁波、電波、赤外線、及び／又は空気を介して情報を伝達するのに適した他のタイプの信号を使用して、ワイヤレス信号を送信及び／又は受信することを伴ってもよい。いくつかの実施形態では、ＷＤが直接的な人間の対話なしに情報を送信及び／又は受信するように構成されてもよい。例えば、ＷＤは所定のスケジュールで、内部又は外部イベントによってトリガされた場合に、又はネットワークからの要求に応答して、ネットワークに情報を送信するように設計されてもよい。ＷＤの例は、スマートフォン、モバイル電話、携帯電話、ボイス・オーバＩＰ（ＶｏＩＰ）電話、ワイヤレス・ローカル・ループ電話、デスクトップ・コンピュータ、携帯情報端末（ＰＤＡ）、ワイヤレス・カメラ、ゲーム・コンソール又はデバイス、音楽記憶デバイス、再生機器、ウェアラブル端末デバイス、ワイヤレス・エンドポイント、移動局、タブレット、ラップトップ、ラップトップ組み込み機器（ＬＥＥ）、ラップトップ実装機器（ＬＭＥ）、スマート・デバイス、ワイヤレス顧客宅内機器（ＣＰＥ）、車載ワイヤレス端末デバイスなどを含むが、これらに限定されない。ＷＤは例えば、サイドリンク通信、車両対車両（Ｖ２Ｖ）、車両対インフラ（Ｖ２Ｉ）、車両対エブリシング（Ｖ２Ｘ）のための第３世代パートナーシップ・プロジェクト（３ＧＰＰ）標準を実施することによって、デバイス対デバイス（Ｄ２Ｄ）通信をサポートしてもよく、この場合、Ｄ２Ｄ通信デバイスと呼ばれてもよい。さらに別の特定の例として、もののインターネット（ＩｏＴ）シナリオでは、ＷＤは、監視及び／又は測定を実行し、このような監視及び／又は測定の結果を別のＷＤ及び／又はネットワーク・ノードに送信するマシン又は他のデバイスを表してもよい。この場合、ＷＤはマシン対マシン（Ｍ２Ｍ）デバイスであってもよく、３ＧＰＰコンテキストでは、マシン・タイプ通信（ＭＴＣ）デバイスと呼ばれてもよい。一つの特定の例として、ＷＤは、３ＧＰＰナローバンドＩｏＴ（（ＮＢ‐ＩｏＴ）標準を実装するＵＥであってもよい。このようなマシン又はデバイスの特定の例は、センサ、電力計、産業マシンのような計量デバイス、又は家庭用もしくは個人用機器（例えば、冷蔵庫、テレビなど）、個人用ウェアラブル（例えば、時計、フィットネス・トラッカなど）である。他のシナリオでは、ＷＤは、その動作状態又はその動作に関連する他の機能を監視及び／又は報告できる車両又は他の機器を表してもよい。上述のＷＤは、ワイヤレス接続のエンドポイントを表してもよく、この場合、デバイスは、ワイヤレス端末と呼ばれてもよい。さらに、上述したようなＷＤは、モバイルであってもよく、この場合、モバイル・デバイス又はモバイル端末とも呼ばれてもよい。
【０１２４】
図示するように、ＷＤ２１０は、アンテナ２１１、インタフェース２１４、処理回路２２０、デバイス可読媒体２３０、ユーザ・インタフェース機器２３２、補助機器２３４、電源２３６、及び電源回路２３７を含む。ＷＤ２１０はほんの数例を挙げると、例えば、ＧＳＭ、ＷＣＤＭＡ、ＬＴＥ、ＮＲ、ＷｉＦｉ、ＷｉＭａｘ、又はＢｌｕｅｔｏｏｔｈワイヤレス技術のような、ＷＤ２１０によってサポートされる異なるワイヤレス技術のための例示されたコンポーネントのうちの一つ以上の複数の集合を含んでもよい。これらのワイヤレス技術は、ＷＤ２１０内の他のコンポーネントと同じ又は異なるチップ又はチップの集合に統合されてもよい。
【０１２５】
アンテナ２１１は、ワイヤレス信号を送信及び／又は受信するように構成された一つ以上のアンテナ又はアンテナアレイを含んでもよく、インタフェース２１４に接続される。特定の代替の実施形態では、アンテナ２１１は、ＷＤ２１０とは別個であってもよく、インタフェース又はポートを介してＷＤ２１０に接続可能であってもよい。アンテナ２１１、インタフェース２１４、及び／又は処理回路２２０は、ＷＤによって実行されるものとして本書で説明される任意の受信動作又は送信動作を実行するように構成されてもよい。任意の情報、データ、及び／又は信号が、ネットワーク・ノード及び／又は別のＷＤから受信されてもよい。いくつかの実施形態では、無線フロントエンド回路及び／又はアンテナ２１１がインタフェースとみなされてもよい。
【０１２６】
図示されるように、インタフェース２１４は、無線フロントエンド回路２１２とアンテナ２１１とを備える。無線フロントエンド回路２１２は、一つ以上のフィルタ２１８及び増幅器２１６を備える。無線フロントエンド回路２１２は、アンテナ２１１及び処理回路２２０に接続され、アンテナ２１１と処理回路２２０との間で通信される信号を調整するように構成される。無線フロントエンド回路２１２は、アンテナ２１１に結合されてもよく、又はその一部であってもよい。いくつかの実施形態では、ＷＤ２１０が別個の無線フロントエンド回路２１２を含んでいなくてもよく、むしろ、処理回路２２０が無線フロントエンド回路を含んでもよく、アンテナ２１１に接続されてもよい。同様に、いくつかの実施形態では、ＲＦ送受信回路２２２のいくつか又はすべてはインタフェース２１４の一部とみなされてもよい。無線フロントエンド回路２１２は、ワイヤレス接続を介して他のネットワーク・ノード又はＷＤに送出されるデジタル・データを受信してもよい。無線フロントエンド回路２１２は、フィルタ２１８及び／又は増幅器２１６の組合せを使用して、デジタル・データを適切なチャネル及び帯域幅パラメータを有する無線信号に変換してもよい。その後、無線信号は、アンテナ２１１を介して送信されてもよい。同様に、データを受信する場合に、アンテナ２１１は無線信号を収集してもよく、この無線諡号は、その後、無線フロントエンド回路２１２によってデジタル・データに変換される。デジタル・データは、処理回路２２０に渡されてもよい。他の実施形態では、インタフェースが異なるコンポーネント及び／又はコンポーネントの異なる組合せを含んでもよい。
【０１２７】
処理回路２２０は、マイクロプロセッサ、コントローラ、マイクロコントローラ、中央処理ユニット、デジタル信号プロセッサ、特定用途向け集積回路、フィールド・プログラマブル・ゲート・アレイ、又は単独で、又はデバイス可読媒体２３０のような他のＷＤ２１０コンポーネントと併せて、ＷＤ２１０機能を提供するように動作可能である任意の他の適切なコンピューティング・デバイス、リソース、又はハードウェア、ソフトウェア、及び／又は符号化ロジックの組合せのうちの一つ以上の組合せを備えてもよい。このような機能は、本書で説明される様々なワイヤレス特徴又は利点のいずれかを提供することを含んでもよい。例えば、処理回路２２０は、本書で開示される機能を提供するために、デバイス可読媒体２３０又は処理回路２２０内のメモリに格納された命令を実行してもよい。
【０１２８】
図示されるように、処理回路２２０は、ＲＦ送受信回路２２２、ベースバンド処理回路２２４、及びアプリケーション処理回路２２６のうちの一つ以上を含む。他の実施形態では、処理回路が異なるコンポーネント及び／又はコンポーネントの異なる組合せを含んでもよい。特定の実施形態では、ＷＤ２１０の処理回路２２０はＳＯＣを備えてもよい。いくつかの実施形態では、ＲＦ送受信回路２２２、ベースバンド処理回路２２４、及びアプリケーション処理回路２２６は別個のチップ又はチップの集合上にあってもよい。代替の実施形態では、ベースバンド処理回路２２４及びアプリケーション処理回路２２６の一部又は全部が一つのチップ又はチップの集合に組み合わされてもよく、ＲＦ送受信回路２２２は別個のチップ又はチップの集合上にあってもよい。さらに代替の実施形態では、ＲＦ送受信回路２２２及びベースバンド処理回路２２４の一部又は全部が同じチップ又はチップの集合上にあってもよく、アプリケーション処理回路２２６は別個のチップ又はチップの集合上にあってもよい。さらに他の代替実施形態では、ＲＦ送受信回路２２２、ベースバンド処理回路２２４、及びアプリケーション処理回路２２６の一部又は全部が同じチップ又はチップの集合内で組み合わされてもよい。いくつかの実施形態では、ＲＦ送受信回路２２２がインタフェース２１４の一部であってもよい。ＲＦ送受信回路２２２は、処理回路２２０のためのＲＦ信号を条件付けてもよい。
【０１２９】
特定の実施形態では、ＷＤによって実行されるものとして本書で説明される機能の一部又はすべては、特定の実施形態ではコンピュータ可読記憶媒体であってもよいデバイス可読媒体２３０上に格納された命令を処理回路２２０が実行することによって提供されてもよい。代替の実施形態では、機能のいくつか又はすべては、ハード・ワイヤード方式などで、別個の又は個別のデバイス可読記憶媒体上に格納された命令を実行することなく、処理回路２２０によって提供されてもよい。これらの特定の実施形態のいずれにおいても、デバイス可読記憶媒体上に格納された命令を実行するか否かにかかわらず、処理回路２２０は、説明された機能を実行するように構成されうる。このような機能によって提供される利点は、処理回路２２０単独又はＷＤ２１０の他のコンポーネントに限定されず、ＷＤ２１０全体によって、及び／又はエンド・ユーザ及び無線ネットワーク全体によって享受される。
【０１３０】
処理回路２２０は、ＷＤによって実行されるものとして本書で説明される任意の判定、計算、又は同様の動作（例えば、特定の取得動作）を実行するように構成されてもよい。処理回路２２０によって実行されるようなこれらの動作は、例えば、取得された情報を他の情報に変換すること、取得された情報又は変換された情報をＷＤ２１０によって格納された情報と比較すること、及び／又は取得された情報又は変換された情報に基づいて一つ以上の動作を実行すること、及び当該処理の結果として判定を行うことによって、処理回路２２０によって取得された情報を処理することを含んでもよい。
【０１３１】
デバイス可読媒体２３０は、コンピュータ・プログラム、ソフトウェア、ロジック、ルール、コード、テーブルなどのうちの一つ以上を含むアプリケーション、及び／又は処理回路２２０によって実行されることが可能な他の命令を格納するように動作可能であってもよい。デバイス可読媒体２３０は、コンピュータ・メモリ（例えば、ＲＡＭ又はＲＯＭ）、大容量記憶媒体（例えば、ハード・ディスク）、リムーバブル記憶媒体（例えば、ＣＤ又はＤＶＤ）、及び／又は処理回路２２０によって使用されてもよい情報、データ、及び／又は命令を格納する任意の他の揮発性又は不揮発性の非一時的デバイス可読及び／又はコンピュータ実行可能メモリ・デバイスを含んでもよい。いくつかの実施形態では、処理回路２２０及びデバイス可読媒体２３０が一体化されているとみなされてもよい。
【０１３２】
ユーザ・インタフェース機器２３２は、人間のユーザがＷＤ２１０と対話することを可能にするコンポーネントを提供してもよい。このような対話は、視覚、聴覚、触覚のような多くの形態であってもよい。ユーザ・インタフェース機器２３２はユーザへの出力を生成し、ユーザがＷＤ２１０に入力を提供することを可能にするように動作可能であってもよい。対話のタイプは、ＷＤ２１０にインストールされたユーザ・インタフェース機器２３２のタイプに応じて変わってもよい。例えば、ＷＤ２１０がスマートフォンであるならば、対話はタッチスクリーンを介してもよく、ＷＤ２１０がスマートメータであるならば、対話は使用量（例えば、使用されるガロン数）を提供するスクリーン、又は（例えば、煙が検出されたならば）可聴警報を提供するスピーカを介してもよい。ユーザ・インタフェース機器２３２は、入力インタフェース、デバイス及び回路、ならびに出力インタフェース、デバイス及び回路を含んでもよい。ユーザ・インタフェース装置２３２は、ＷＤ２１０への情報の入力を可能にするように構成され、処理回路２２０に接続されて、処理回路２２０が入力情報を処理することを可能にする。ユーザ・インタフェース機器２３２は例えば、マイクロフォン、近接又は他のセンサ、キー／ボタン、タッチディスプレイ、一つ以上のカメラ、ユニバーサル・シリアル・バス（ＵＳＢ）ポート、又は他の入力回路を含んでもよい。ユーザ・インタフェース機器２３２はまた、ＷＤ２１０からの情報の出力を可能にし、処理回路２２０がＷＤ２１０から情報を出力することを可能にするように構成される。ユーザ・インタフェース機器２３２は例えば、スピーカ、ディスプレイ、振動回路、ＵＳＢポート、ヘッドホン・インタフェース、又は他の出力回路を含んでもよい。ＷＤ２１０は、ユーザ・インタフェース機器２３２の一つ以上の入出力インタフェース、デバイス、及び回路を使用して、エンド・ユーザ及び／又はワイヤレス・ネットワークと通信してもよく、本書で説明する機能からの利益をこれらに与えてもよい。
【０１３３】
補助機器２３４は、ＷＤによって一般に実行されなくてもよいより特定の機能を提供するように動作可能である。これは、様々な目的のために測定を行うための専用センサ、有線通信などの追加のタイプの通信のためのインタフェースなどを含んでもよい。補助機器２３４のコンポーネントの包含及びタイプは、実施形態及び／又はシナリオに応じて変わってもよい。
【０１３４】
電源２３６は、一部の実施形態ではバッテリ又はバッテリ・パックの形態であってもよい。外部電源（例えば、電気コンセント）、光起電力デバイス、又は電力セルのような他のタイプの電源が使用されてもよい。ＷＤ２１０は電源２３６からの電力を、電源２３６からの電力を必要とするＷＤ２１０の様々な部分に送り、本書に記載又は示される任意の機能を実行するための電力回路２３７をさらに備えてもよい。電力回路２３７は、特定の実施形態において、電力管理回路を備えてもよい。電力回路２３７は追加的又は代替的に、外部電源から電力を受け取るように動作可能であってもよく、この場合、ＷＤ２１０は、入力回路又は電力ケーブルのようなインタフェースを介して、（電気コンセントのような）外部電源に接続可能であってもよい。電力回路２３７はまた、特定の実施形態において、外部電源から電源２３６に電力を送るように動作可能であってもよい。これは、例えば、電源２３６の充電のためであってもよい。電力回路２３７は電力が供給されるＷＤ２１０のそれぞれのコンポーネントに適した電力にするために、電源２３６からの電力に対して任意の形式設定、変換、又は他の修正を実行してもよい。
【０１３５】
図３は、本書で説明される様々な態様によるワイヤレス・ネットワークの一実施形態を示す。図３において、簡略化された電気通信ネットワーク３００は、種々のＣＮノードを含むＣＮ３０２を含む。図３に示される実施形態では、ネットワーク３００がＡＭＦ３０４、ＳＭＦ３０６、ＭＭＥ３０８、及びホーム加入者サービス（ＨＳＳ）３１０を含むが、他のタイプのノード、及びノードの他の集合も、本書で説明する主題によって企図されることを理解されたい。ＣＮ３０２は、これらのＣＮノードと、本書ではＷＤ３１４又はＵＥ３１４とも呼ばれてもよいワイヤレス・デバイス３１４にサービスを提供しているＲＡＮノード３１２との間の接続を提供する。
【０１３６】
一態様によれば、ＵＥに関連するスライス知識に基づいて、ＲＡＴ及び周波数選択のためのインデックス・パラメータを設定（又は選択、計算、決定など）するためのＣＮ機能が提供される。インデックス・パラメータは、非アクティブ又はアイドル又はアクティブなＵＥのためのＲＡＴ又は周波数選択のために使用されるために、ＲＡＮノード３１２に提供されてもよい。図３に示される実施形態では、ＲＡＮノード３１２は、ＣＮ３０２内のノードから情報３１６を受信する。情報３１６は、インデックス・パラメータ、加入情報、及び／又はスライス情報を備えてもよい。一つの実施形態では、インデックス・パラメータは、ＲＦＳＰインデックスを含んでもよい。いくつかの実施形態では、選択されたＲＦＳＰインデックス値は、ＲＡＮに通信され、ＲＡＮはその後、例えば、ＵＥが接続されているスライスをサポートする周波数層又はＲＡＴ上にＵＥがキャンプすることを保証するように、アイドル・モード・キャンピングを制御するために、ＵＥ固有セル再選択プライオリティを設定できる。このソリューションはまた、ＵＥスライスをサポートする好ましい周波数層又はＲＡＴにＵＥを導くように、アクティブ・モード（例えば、ハンドオーバ）モビリティを制御するために使用されうる。
【０１３７】
その後、例えば、ｅＮＢ／ｇＮＢであってもよいＲＡＮノード３１２は、アイドル・モード・キャンピングを制御するために、例えば、ＵＥ３１４が接続されているスライスをサポートする周波数層又はＲＡＴ上にＵＥ３１４がキャンプすることを保証するために、「ＵＥ固有セル再選択プライオリティ」を設定できる。ソリューションはまた、ＵＥスライスをサポートする好ましい周波数層又はＲＡＴにＵＥを導くように、アクティブ・モード（例えば、ハンドオーバ）モビリティを制御するために使用されうる。
【０１３８】
別の態様によれば、ＲＡＮノード３１２は、インデックス・パラメータ及びＣＮノードによって提供されるスライス情報及び／又は加入情報に基づいて、ＵＥアクティブ又はアイドル・モビリティのためのモビリティ・ポリシーへのマッピングを実行する。これらの実施形態では、ＲＡＮ３１２は、インデックス・パラメータならびにＣＮによって提供されるスライス及び／又は加入情報に基づいて、「ＵＥ固有セル再選択プライオリティ」へのマッピングを実行する。いくつかの実施形態では、この情報は、インデックス・パラメータの値を設定するために、加入関連情報又は他の情報（例えば、ゴールド／シルバー／ブロンズ加入、公衆安全加入など）の知識と組み合わされるか、この情報に基づいて組み合わされうる。
【０１３９】
一つの実施形態では、インデックス・パラメータを設定するＣＮノードは、ＡＭＦ３０４、ＳＭＦ３０８、又はＭＭＥ３０８ノードを含む。一つの実施形態では、インデックス・パラメータは、
●  ネットワークでの（例えば、ＵＥ登録エリア内の）ネットワーク・スライスの可用性、
●  ＵＥのアクティブ・スライス、
●  ＵＥが登録又は接続されているスライス、及び
●  例えば加入情報に基づいて、ＵＥがアクセスを許可されているスライス、
のうちの一つ以上の知識に基づいて、設定／選択／計算／決定などされる。
【０１４０】
選択プロセスは、いくつかのネットワーク・エンティティによって、又はそれらの助けによって実行されてもよく、この場合、情報３１６のいくつか又はすべては、ＡＭＦ３０４、ＳＭＦ３０６、ＭＭＥ３０８、ＨＳＳ３１０、又は他のＣＮノードによって送信されてもよい。例えば、加入情報に基づいてＵＥ３１４がアクセスすることを許可されているスライスのみがＲＦＳＰを割り当てるために考慮される実施形態では、ＨＳＳ３１０又は他の加入データベース内のスライス情報に基づいてＲＡＴ及び／又は周波数を直接に選択することが可能である。
【０１４１】
アクティブ・スライス又は登録されたスライスのような他のより動的な情報が考慮される実施形態では、ＡＭＦ３０４及び／又はＳＭＦ３０６に使用可能な情報に基づいて、ＲＡＴ及び／又は周波数を選択することが可能である。これらの実施形態では、ＡＭＦ３０４又はＳＭＦ３０６は例えば、加入されたＲＦＳＰインデックス、ローカルに設定されたオペレータのポリシー、及びＵＥの使用設定を含むＡＭＦで使用可能なＵＥ関連コンテキスト情報に基づいて、ＲＦＳＰインデックスを選択してもよい。
【０１４２】
代替実施形態では、異なるネットワーク・エンティティが選択プロセスの異なる部分を実行してもよい。例えば、一つの実施形態では、一部の情報がＨＳＳ３１０によって提供されてもよく（例えば、有効なＲＦＳＰの集合）、他の情報がＡＭＦ３０４によって提供されてもよい（例えば、ＡＭＦ３０４はスライス情報に基づいて有効なＲＦＳＰのうちの一つを選択する）。
【０１４３】
ソリューションの代替の実施形態では、ＣＮは、ＲＦＳＰに関する情報と、どのスライスに関する情報、例えば、ネットワークにおける（例えば、ＵＥ登録エリア内の）ネットワーク・スライス可用性、ＵＥに関するアクティブ・スライス、ＵＥが登録又は接続されているスライス、及び加入情報に基づいてＵＥがアクセスすることを許可されているスライスとの両方をＲＡＮノード３１２に提供する。この実施形態では、ＲＡＮノード３１２は、アイドル・モード・キャンピングを制御するために、又はＵＥスライスをサポートする好ましい周波数層又はＲＡＴにＵＥを導くためにアクティブ・モード（例えば、ハンドオーバ）モビリティを制御するために、「ＵＥ固有セル再選択プライオリティ」を決定するために、ＲＦＳＰとスライス情報との間の最終マッピングを実行してもよい。
【０１４４】
上述のように、ＳＡ２／ＲＡＮ３の理解によれば、すべてのスライスがネットワーク全体で使用可能であるとは予想されないが、スライス可用性はＵＥ登録エリアにわたって一貫しているだろう。これは、一つのＮＲ又はＬＴＥセルにおいてスライスが使用可能であるならば、同じＣＮトラッキング・エリアに属するすべてのセルにおいて少なくとも使用可能であることを意味する。これは、ＵＥがＣＮレベル登録エリア変更を実行する場合に、スライス可用性に対する任意の変更が処理されうることを意味する。これは、可用性とスライスへの接続性とが非アクセス層（ＮＡＳ）レベルで処理される３ＧＰＰ  ＴＳ  ２３．５０１セクション５．１５の現在の理解でもある。
【０１４５】
異なる周波数層上のスライス可用性に関連するこの合意の結果は、異なる周波数層が同じスライスをサポートしないならば、それらが同じＣＮトラッキング・エリアの一部であることができないことである。しかし、これは、ネットワークが異なるスライス・サポートを有する複数の周波数層をサポートする場合に、ＵＥが複数の周波数層でサポートされるスライスに接続されているか、又は単一の周波数層でサポートされるスライスに接続されているかに応じて、ネットワークが異なる登録エリア（トラッキング・エリア（ＴＡ）リスト）でＵＥを構成できるので、許容可能である。後者の場合、ＵＥは、周波数層を変更する際にＣＮ登録エリア更新を実行する必要があり、前者の場合、更新は必要とされない。
【０１４６】
ＣＮトラッキング／登録エリア内での異なるスライス可用性が可能とする現在のＳＡ２／ＲＡＮ３の前提を変更すると、ＵＥがサービスのために到達可能ではないが、それについては知らないことや、ＵＥがサービスを受けることができないエリア内のページングに応答するかもしれないことなど、重大な問題につながるだろう。
【０１４７】
一つの実施形態では、ＵＥ登録エリア内の一貫したスライス及びサービス・サポートに関するＳＡ２／ＲＡＮ３合意が維持される。このような実施形態では、異なるスライスをサポートする異なる周波数層は、異なるＣＮトラッキング・エリアが割り当てられる必要がある。
【０１４８】
ネットワークは、多数のスライスをサポートすることが期待される。これは、周波数選択のためのシステム情報上のスライス可用性に関する入力を提供することを非効率的にし、代わりに、ソリューションは専用手段に頼らなければならない。現在、ＬＴＥでは、（３ＧＰＰ ＴＳ３６．３３１で指定される）ｉｄｌｅＭｏｄｅｂｉｌｉｔｙＣｏｎｔｒｏｌＩｎｆｏを使用する加入情報に基づく専用周波数プライオリティ付けのサポートがある。ＲＡＮは、ＲＦＳＰについての加入者プロファイルＩＤ（ＩＤ）からＵＥ加入情報を知る（３ＧＰＰ  ＴＳ３６．４１３を参照）。これらのパラメータ間のマッピングは、ローカルＲＡＮ構成次第である（３ＧＰＰ  ＴＳ３６．３００を参照）。
【０１４９】
５ＧＣについて、ＳＡ２は、ＬＴＥ／発展型パックト・コア（ＥＰＣ）におけるＲＡＴ／周波数プライオリティのための加入者プロファイルＩＤと同様の目的を有するように思われるＲＦＳＰ情報の概念を導入した。ＵＥがどのスライスに接続されているかについての知識、ならびにＵＥがどのスライスに接続してもよいかについての情報を５ＧＣが有することを前提として、これはこの知識に基づいてＲＦＳＰを設定することが可能であるべきであり、したがって、ＲＡＮノード３１２がｉｄｌｅＭｏｄｅＭｏｂｉｌｉｔｙＣｏｎｔｒｏｌＩｎｆｏを設定することを可能にする。あるいは、ＲＦＳＰと、ＵＥ３１４がリリース時にどのスライスに接続されていたかの知識との組合せに基づいて、ｇＮＢが単独でｉｄｌｅＭｏｄｅｂｉｌｉｔｙＣｏｎｔｒｏｌＩｎｆｏを設定することも可能だろう。スライス情報は３ＧＰＰ  ＴＳ３８．４１３  ＰＤＵセッション・リソース・セットアップ要求に含まれているので、ＲＡＮノード３１２はこれを知るだろう。
【０１５０】
一つの実施形態では、ＣＮは、ＲＡＮの影響を最小化し、すべてのサービス／スライス情報の一貫した処理につながるので、スライス情報を考慮してＲＦＳＰを設定してもよい。ＣＮはいずれにしても、ＵＥ登録エリアを割り当てる際に、ＵＥスライス情報の知識を有する必要がある。
【０１５１】
ＵＥが複数のスライスに割り当てられる場合に、周波数プライオリティ付けは、これを考慮する必要がある。我々の見解では、これは、ＣＮがサポートされるスライスの知識を有することと、どのスライスが最も優先されるかに従ってＲＦＳＰを設定できるか、あるいはスライスの組合せに対して特定のＲＦＳＰ値を有することとの両方から、実現可能であるべきである。我々は、単一のＵＥによってサポートされるスライスがすべてのスライスをサポートする共通の周波数層を有しないことは、まれなケースであると考える。一つの実施形態では、ＲＡＮは、スライシング又は他の加入関連情報に起因してＲＦＳＰが設定されたならば、独立である構成されたｉｄｌｅＭｏｄｅＭｏｂｉｌｉｔｙＣｏｎｔｒｏｌＩｎｆｏにＲＦＳＰをマッピングすべきである。
【０１５２】
一つの実施形態では、スライス可用性がＵＥベースのＲＡＴ、周波数、又はセル選択のためにブロードキャストされ、使用されるべきではない。代わりに、制限されたスライス可用性をサポートするために、ＲＡＮ２＃９９で合意されたネットワーク制御機構を使用することで十分である。
【０１５３】
図４は、本書で説明される様々な態様によるＵＥの一つの実施形態を示す。本書で使用されるように、ＵＥは必ずしも、関連するデバイスを所有及び／又は操作する人間のユーザの意味でユーザを有するとは限らない。代わりに、ＵＥは、人間のユーザへの販売又は人間のユーザによる操作が意図されているが、特定の人間のユーザに関連付けられていてもいなくてもよく、又は最初は関連付けられていなくてもよいデバイス（例えば、スマート・スプリンクラ・コントローラ）を表してもよい。あるいは、ＵＥは、エンド・ユーザへの販売又はエンド・ユーザによる操作を意図されていないが、ユーザの利益に関連付けられるか、又は操作されてもよいデバイス（例えば、スマート電力メータ）を表してもよい。ＵＥ４００は、ＮＢ−ＩｏＴ  ＵＥ、ＭＴＣ  ＵＥ、及び／又は発展型ＭＴＣ（ｅＭＴＣ）ＵＥを含む、３ＧＰＰによって識別される任意のＵＥであってもよい。図４に図示されるように、ＵＥ４００は、３ＧＰＰのＧＳＭ、ＵＭＴＳ、ＬＴＥ、及び／又は５Ｇ標準のような、３ＧＰＰによって公布された一つ以上の通信標準に従って通信するように構成されたＷＤの一つの例である。前述のように、ＷＤ及びＵＥという用語は、互換的に使用されてもよい。したがって、図４はＵＥであるが、本書で説明されるコンポーネントはＷＤに等しく適用可能であり、その逆も同様である。
【０１５４】
図４では、ＵＥ４００は、入出力インタフェース４０５、ＲＦインタフェース４０９、ネットワーク接続インタフェース４１１、ＲＡＭ４１７、ＲＯＭ４１９及び記憶媒体４２１などを含むメモリ４１５、通信サブシステム４３１、電源４１３、及び／又は任意の他のコンポーネント、又はこれらの任意の組合せに動作可能に結合された処理回路４０１を含む。記憶媒体４２１は、オペレーティング・システム４２３、アプリケーション・プログラム４２５、及びデータ４２７を含む。他の実施形態では、記憶媒体４２１は、他の同様のタイプの情報を含んでもよい。あるＵＥは、図４に示されるコンポーネントのすべて、又はコンポーネントの部分集合のみを利用してもよい。コンポーネント間の統合のレベルは、ＵＥごとに異なってもよい。さらに、あるＵＥは、複数のプロセッサ、メモリ、送受信機、送信機、受信機などのようなコンポーネントの複数のインスタンスを含んでもよい。
【０１５５】
図４において、処理回路４０１は、コンピュータ命令及びデータを処理するように構成されてもよい。処理回路４０１は、（例えば、個別論理、ＦＰＧＡ、ＡＳＩＣ内などの）一つ以上のハードウェア実装状態マシン、適切なファームウェアと一緒のプログラマブル論理、一つ以上の格納プログラム、適切なソフトウェアと一緒のマイクロプロセッサ又はデジタル信号プロセッサ（ＤＳＰ）のような汎用プロセッサ、又は上記の任意の組合せなどのような、マシン可読コンピュータ・プログラムとしてメモリに格納されたマシン命令を実行するように動作する任意の順次状態マシンを実装するように構成されてもよい。例えば、処理回路４０１は、二つの中央処理ユニット（ＣＰＵ）を含んでもよい。データは、コンピュータによる使用に適した形態の情報であってもよい。
【０１５６】
図示された実施形態では、入出力インタフェース４０５は、入力デバイス、出力デバイス、又は入力及び出力デバイスへの通信インタフェースを提供するように構成されてもよい。ＵＥ４００は、入出力インタフェース４０５を介して出力デバイスを使用するように構成されてもよい。出力デバイスは、入力デバイスと同じタイプのインタフェース・ポートを使用してもよい。例えば、ＵＥ４００への入力及びＵＥ４００からの出力を提供するために、ＵＳＢポートが使用されてもよい。出力デバイスは、スピーカ、サウンド・カード、ビデオ・カード、ディスプレイ、モニタ、プリンタ、アクチュエータ、エミッタ、スマートカード、別の出力デバイス、又はこれらの任意の組合せであってもよい。ＵＥ４００は、ユーザが情報をＵＥ４００にキャプチャできるように、入出力インタフェース４０５を介して入力デバイスを使用するように構成されてもよい。入力デバイスは、タッチ・センシティブ又はプレゼンス・センシティブ・ディスプレイ、カメラ（例えば、デジタル・カメラ、デジタル・ビデオ・カメラ、ウェブ・カメラなど）、マイクロフォン、センサ、マウス、トラックボール、方向パッド、トラックパッド、スクロール・ホイール、スマートカードなどを含んでもよい。プレゼンス・センシティブ・ディスプレイは、ユーザからの入力を感知するために、容量性又は抵抗性タッチセンサを含んでもよい。センサは例えば、加速度計、ジャイロスコープ、傾斜センサ、力センサ、磁力計、光学センサ、近接センサ、別の同様のセンサ、又はこれらの任意の組合せであってもよい。例えば、入力デバイスは、加速度計、磁力計、デジタル・カメラ、マイクロフォン、及び光センサであってもよい。
【０１５７】
図４において、ＲＦインタフェース４０９は、送信機、受信機、及びアンテナのようなＲＦコンポーネントに通信インタフェースを提供するように構成されてもよい。ネットワーク接続インタフェース４１１は、ネットワーク４４３ａへの通信インタフェースを提供するように構成されてもよい。ネットワーク４４３ａは、ＬＡＮ、ＷＡＮ、コンピュータ・ネットワーク、ワイヤレス・ネットワーク、電気通信ネットワーク、別の同様のネットワーク、又はこれらの任意の組合せなどのような有線及び／又はワイヤレス・ネットワークを含んでもよい。例えば、ネットワーク４４３ａは、Ｗｉ−Ｆｉネットワークを含んでもよい。ネットワーク接続インタフェース４１１は、イーサネット、トランスポート・コントロール・プロトコルＴＣＰ／ＩＰ、同期光ネットワーキング（ＳＯＮＥＴ）、非同期転送モード（ＡＴＭ）などのような一つ以上の通信プロトコルに従って、通信ネットワークを介して一つ以上の他のデバイスと通信するために使用される受信機及び送信機インタフェースを含むように構成されてもよい。ネットワーク接続インタフェース４１１は、通信ネットワークリンク（例えば、光、電気など）に適した受信機及び送信機の機能を実装してもよい。送信機機能及び受信機機能は回路コンポーネント、ソフトウェア、又はファームウェアを共有してもよく、あるいは、別々に実装されてもよい。
【０１５８】
ＲＡＭ４１７は、オペレーティング・システム、アプリケーション・プログラム、及びデバイス・ドライバのようなソフトウェア・プログラムの実行中にデータ又はコンピュータ命令の記憶又はキャッシュを提供するために、バス４０２を介して処理回路４０１にインタフェースするように構成されてもよい。ＲＯＭ４１９は、コンピュータ命令又はデータを処理回路４０１に提供するように構成されてもよい。例えば、ＲＯＭ４１９は、不揮発性メモリに格納された、基本的な入出力（Ｉ／Ｏ）、スタートアップ、又はキーボードからのキーストロークの受信のような基本的なシステム機能のための不変の低レベル・システム・コード又はデータを格納するように構成されてもよい。記憶媒体４２１は、ＲＡＭ、ＲＯＭ、プログラマブル・リード・オンリ・メモリ（ＰＲＯＭ）、消去可能ＰＲＯＭ（ＥＰＲＯＭ）、電気的消去可能ＰＲＯＭ（ＥＥＰＲＯＭ）、磁気ディスク、光ディスク、フロッピー・ディスク、ハード・ディスク、リムーバブル・カートリッジ、又はフラッシュ・ドライブのようなメモリを含むように構成されてもよい。一例では、記憶媒体４２１は、オペレーティング・システム４２３、ウェブ・ブラウザ・アプリケーション、ウィジェット又はガジェット・エンジン又は別のアプリケーションのようなアプリケーション・プログラム４２５、及びデータ・ファイル４２７を含むように構成されてもよい。記憶媒体４２１は、ＵＥ４００による使用のために、様々なオペレーティング・システムのうちの任意のもの、又はオペレーティング・システムの組合せを格納してもよい。
【０１５９】
記憶媒体４２１は、独立ディスク冗長アレイ（ＲＡＩＤ）、フロッピー・ディスク・ドライブ、フラッシュ・メモリ、ＵＳＢフラッシュ・ドライブ、外部ハード・ディスク・ドライブ、サム・ドライブ、ペン・ドライブ、キー・ドライブ、高密度ＤＶＤ（ＨＤ‐ＤＶＤ）光ディスク・ドライブ、内部ハード・ディスク・ドライブ、ブルーレイ光ディスク・ドライブ、ホログラフィック・デジタル・データストレージ（ＨＤＤＳ）光ディスク・ドライブ、外部ミニデュアル・インライン・メモリ・モジュール（ＤＩＭＭ）、同期動的ＲＡＭ（ＳＤＲＡＭ）、外部マイクロＤＩＭＭ  ＳＤＲＡＭ、加入者識別モジュール（ＳＩＭ）又はリムーバブル・ユーザ識別モジュール（ＲＵＩＭ）のようなスマートカード・メモリ、他のメモリ、又はこれらの任意の組合せのような、いくつかの物理駆動ユニット含むように構成されてもよい。記憶媒体４２１は、ＵＥ４００が一時的又は非一時的メモリ媒体に格納されたコンピュータ実行可能命令、アプリケーション・プログラム等にアクセスし、データをオフロードし、又はデータをアップロードすることを可能にしてもよい。通信システムを利用するもののような製品は、デバイス可読媒体を備えてもよい記憶媒体４２１内に有形に具現化されてもよい。
【０１６０】
図４では、処理回路４０１は、通信サブシステム４３１を使用してネットワーク４４３ｂと通信するように構成されてもよい。ネットワーク４４３ａ及びネットワーク４４３ｂは同じネットワークであってもよいし、異なるネットワークであってもよい。通信サブシステム４３１は、ネットワーク４４３ｂと通信するために使用される一つ以上の送受信機を含むように構成されてもよい。例えば、通信サブシステム４３１は、ＩＥＥＥ８０２．４、符号分割多元接続（ＣＤＭＡ）、ＷＣＤＭＡ、ＧＳＭ、ＬＴＥ、ユニバーサル地上アクセス・ネットワーク（ＵＴＲＡＮ）、ＷｉＭａｘなどのような一つ以上の通信プロトコルに従って、別のＷＤ、ＵＥ、又はＲＡＮの基地局のようなワイヤレス通信が可能な別のデバイスの一つ以上のリモート送受信機と通信するために使用される一つ以上の送受信機を含むように構成されてもよい。各送受信機は、ＲＡＮリンクに適切な送信機又は受信機の機能（例えば、周波数割り当てなど）をそれぞれ実装するために、送信機４３３及び／又は受信機４３５を含んでもよい。さらに、各送受信機の送信機４３３及び受信機４３５は、回路コンポーネント、ソフトウェア、又はファームウェアを共有してもよく、あるいは別々に実装されてもよい。
【０１６１】
図示の実施形態では、通信サブシステム４３１の通信機能は、データ通信、音声通信、マルチメディア通信、Ｂｌｕｅｔｏｏｔｈのような短距離通信、近距離通信、位置を決定するための全地球測位システム（ＧＰＳ）の使用のような位置ベース通信、別の同様の通信機能、又はこれらの任意の組合せを含んでもよい。例えば、通信サブシステム４３１は、セルラー通信、Ｗｉ‐Ｆｉ通信、Ｂｌｕｅｔｏｏｔｈ通信、及びＧＰＳ通信を含んでもよい。ネットワーク４４３ｂは、有線及び／又はワイヤレス・ネットワーク、例えばＬＡＮ、ＷＡＮ、コンピュータ・ネットワーク、ワイヤレス・ネットワーク、電気通信ネットワーク、他の同様のネットワーク、又はこれらの任意の組合せを含んでもよい。例えば、ネットワーク４４３ｂは、セルラー・ネットワーク、Ｗｉ−Ｆｉネットワーク、及び／又は近距離ネットワークであってもよい。電源４１３は、ＵＥ４００のコンポーネントに交流電力（ＡＣ）又は直流電力（ＤＣ）を供給するように構成されてもよい。
【０１６２】
本書で説明される特徴、利点、及び／又は機能は、ＵＥ４００のコンポーネントのうちの一つで実装されてもよいし、又はＵＥ４００の複数のコンポーネントにわたって区分されてもよい。さらに、本書で説明される特徴、利点、及び／又は機能は、ハードウェア、ソフトウェア、又はファームウェアの任意の組合せで実装されてもよい。一例では、通信サブシステム４３１は、本書で説明されるコンポーネントのいずれかを含むように構成されてもよい。さらに、処理回路４０１は、バス４０２を介してこのようなコンポーネントのいずれかと通信するように構成されてもよい。別の例では、このようなコンポーネントのいずれも、処理回路４０１によって実行された場合に本書で説明される対応する機能を実行する、メモリに格納されたプログラム命令によって表されてもよい。別の例では、このようなコンポーネントのいずれかの機能が処理回路４０１と通信サブシステム４３１との間で区分されてもよい。別の例では、このようなコンポーネントのいずれかの非計算集約的機能は、ソフトウェア又はファームウェアで実施されてもよく、計算集約的機能は、ハードウェアで実施されてもよい。
クラウド実装
【０１６３】
一つの実施形態では、スライス情報からＲＦＳＰへのマッピングは、仮想化の対象となるノードにおいて実行されうる。
【０１６４】
図５は、いくつかの実施形態によって実装される機能が仮想化されてもよい仮想化環境５００を示す概略ブロック図である。本文脈では、仮想化は、ハードウェア・プラットフォーム、記憶装置及びネットワーキング・リソースを仮想化することを含んでもよい、装置又はデバイスの仮想バージョンを生成することを意味する。本書で使用されるように、仮想化は、ノード（例えば、仮想化された基地局又は仮想化された無線アクセス・ネットワーク・ノード）又はデバイス（例えば、ＵＥ、ワイヤレス・デバイス、又は任意の他のタイプの通信デバイス）又はこれらのコンポーネントに適用されることができ、機能の少なくとも一部が一つ以上の仮想コンポーネントとして（例えば、一つ以上のネットワーク内の一つ以上の物理処理ノード上で実行される一つ以上のアプリケーション、コンポーネント、機能、仮想マシン、又はコンテナを介して）実装される実装形態に関係する。
【０１６５】
いくつかの実施形態において、本書に記載される機能の一部又は全部は、ハードウェア・ノード５３０の一つ以上によってホストされる一つ以上の仮想環境５００内に実装される一つ以上の仮想マシンによって実行される仮想コンポーネントとして実装されてもよい。さらに、仮想ノードが無線アクセス・ネットワーク・ノードではないか、無線接続を必要としない実施形態（例えば、ＣＮノード）では、ネットワーク・ノードは完全に仮想化されてもよい。
【０１６６】
機能は、本書で開示される実施形態のいくつかの特徴、機能、及び／又は利益のいくつかを実装するように動作する一つ以上のアプリケーション５２０（代替として、ソフトウェア・インスタンス、仮想機器、ネットワーク機能、仮想ノード、仮想ネットワーク機能などと呼ばれてもよい）によって実装されてもよい。アプリケーション５２０は、処理回路５６０及びメモリ５９０を備えるハードウェア５３０を提供する仮想化環境５００において実行される。メモリ５９０は処理回路５６０によって実行可能な命令５９５を含み、それによって、アプリケーション５２０は、本書で開示される特徴、利点、及び／又は機能のうちの一つ以上を提供するように動作可能である。
【０１６７】
仮想化環境５００は市販の既製（ＣＯＴＳ）プロセッサ、専用特定用途向け集積回路（ＡＳＩＣ）、又はデジタル又はアナログ・ハードウェア・コンポーネント又は専用プロセッサを含む任意の他のタイプの処理回路であってもよい、一つ以上のプロセッサ又は処理回路５６０の集合を備える汎用又は専用ネットワーク・ハードウェア・デバイス５３０を備える。各ハードウェア・デバイスは、処理回路５６０によって実行される命令５９５又はソフトウェアを一時的に格納するための非永続的メモリであってもよいメモリ５９０‐１を備えてもよい。各ハードウェア・デバイスは、物理ネットワーク・インタフェース５８０を含む、ネットワーク・インタフェース・カードとしても知られる一つ以上のネットワーク・インタフェース・コントローラ（ＮＩＣ）５７０を含んでもよい。各ハードウェア・デバイスはまた、処理回路５６０によって実行可能なソフトウェア５９５及び／又は命令を格納した、非一時的な、永続的な、マシン可読記憶媒体５９０‐２を含んでもよい。ソフトウェア５９５は、一つ以上の仮想化層５５０（ハイパーバイザとも呼ばれる）をインスタンス化するためのソフトウェア、仮想マシン５４０を実行するためのソフトウェア、ならびに本書に記載するいくつかの実施形態に関連して記載される機能、特徴及び／又は利点を実行することを可能にするソフトウェアを含む任意のタイプのソフトウェアを含んでもよい。
【０１６８】
仮想マシン５４０は、仮想処理、仮想メモリ、仮想ネットワーキング又はインタフェース及び仮想ストレージを含み、対応する仮想化層５５０又はハイパーバイザによって実行してもよい。仮想機器５２０のインスタンスの異なる実施形態は仮想マシン５４０の一つ以上で実装されてもよく、実装は異なる方法で行われてもよい。動作中、処理回路５６０は、ソフトウェア５９５を実行して、仮想マシン・モニタ（ＶＭＭ）と呼ばれることもあってもよいハイパーバイザ又は仮想化層５５０をインスタンス化する。仮想化層５５０は、ネットワーキング・ハードウェアのように見える仮想オペレーティング・プラットフォームを仮想マシン５４０に提示してもよい。
【０１６９】
図５に示すように、ハードウェア５３０は、汎用又は特定のコンポーネントを有するスタンドアロン・ネットワーク・ノードであってもよい。ハードウェア５３０は、アンテナ５２２５を備えてもよく、仮想化を介していくつかの機能を実装してもよい。あるいは、ハードウェア５３０は、多くのハードウェア・ノードが一緒に動作し、とりわけアプリケーション５２０のライフサイクル管理を監視する管理及びオーケストレーション（ＭＡＮＯ）５１００を介して管理される（例えば、データ・センタ又はＣＰＥ内のような）ハードウェアのより大きなクラスタの一部であってもよい。
【０１７０】
ハードウェアの仮想化は、ネットワーク機能仮想化（ＮＦＶ）と呼ばれるいくつかのコンテキストで行われる。ＮＦＶは、多くのネットワーク機器タイプを、データ・センタ内に配置してもよい業界標準の大容量サーバ・ハードウェア、物理スイッチ及び物理ストレージ、ならびに顧客構内機器に統合するために使用されてもよい。
【０１７１】
ＮＦＶのコンテキストでは、仮想マシン５４０は、あたかも物理的な仮想化されていないマシン上で実行されているかのようにプログラムを実行する物理マシンのソフトウェア実装であってもよい。仮想マシン５４０のそれぞれ、及び当該仮想マシンを実行するハードウェア５３０の当該一部は、当該仮想マシンに専用のハードウェア及び／又は当該仮想マシンによって仮想マシン５４０の他の物と共有されるハードウェアであるならば、別個の仮想ネットワーク要素（ＶＮＥ）を形成する。
【０１７２】
なおもＮＦＶのコンテキストでは、仮想ネットワーク機能（ＶＮＦ）は、ハードウェア・ネットワーキング・インフラストラクチャ５３０上の一つ以上の仮想マシン５４０で実行される特定のネットワーク機能を処理する責任があり、図５のアプリケーション５２０に対応する。
【０１７３】
いくつかの実施形態では、それぞれが一つ以上の送信機５２２０及び一つ以上の受信機５２１０を含む一つ以上の無線ユニット５２００が一つ以上のアンテナ５２２５に結合されてもよい。無線ユニット５２００は、一つ以上の適切なネットワーク・インタフェースを介してハードウェア・ノード５３０と直接通信してもよく、仮想コンポーネントと組み合わせて使用して、無線アクセス・ネットワーク・ノード又は基地局のような無線機能を仮想ノードに提供してもよい。
【０１７４】
いくつかの実施形態では、ハードウェア・ノード５３０と無線ユニット５２００との間の通信のために代替的に使用されてもよい制御システム５２３０を使用して何らかのシグナリングが達成されうる。
ネットワーク・スライス上のオーバ・ザ・トップ（ＯＴＴ）
【０１７５】
図６は、本書で説明される様々な態様による通信システムの一つの実施形態を示す。図６を参照して、一つの実施形態によれば、通信システムは、無線アクセス・ネットワークのようなアクセス・ネットワーク６１１と、ＣＮ６１４とを備える３ＧＰＰタイプのセルラー・ネットワークのような電気通信ネットワーク６１０を含む。アクセス・ネットワーク６１１は、ＮＢ、ｅＮＢ、ｇＮＢ、又は他のタイプのワイヤレス・アクセス・ポイントのような複数の基地局６１２ａ、６１２ｂ、６１２ｃを備え、それぞれは対応するカバレッジ・エリア６１３ａ、６１３ｂ、６１３ｃを規定する。各基地局６１２ａ、６１２ｂ、６１２ｃは、有線又はワイヤレス接続６１５を介してＣＮ６１４に接続可能である。カバレッジ・エリア６１３ｃ内に位置する第１ＵＥ６９１は、対応する基地局６１２ｃにワイヤレス接続するように、又はそれによってページングされるように構成される。カバレッジ・エリア６１３ａ内の第２ＵＥ６９２は、対応する基地局６１２ａにワイヤレス接続可能である。この例では複数のＵＥ６９１、６９２が示されているが、開示される実施形態は、単一のＵＥがカバレッジ・エリア内にある状況、又は単一のＵＥが対応する基地局６１２に接続している状況にも等しく適用可能である。
【０１７６】
電気通信ネットワーク６１０はそれ自体がホスト・コンピュータ６３０に接続されており、ホスト・コンピュータ６３０は、スタンドアロン・サーバ、クラウドに実装されたサーバ、分散サーバ、又はサーバ・ファーム内の処理リソースのハードウェア及び／又はソフトウェアにおいて具体化されてもよい。ホスト・コンピュータ６３０は、サービス・プロバイダの所有権又は制御下にあってもよいし、サービス・プロバイダによって、又はサービス・プロバイダの代わりに操作されてもよい。電気通信ネットワーク６１０とホスト・コンピュータ６３０との間の接続６２１及び６２２は、ＣＮ６１４からホスト・コンピュータ６３０に直接延びてもよく、あるいはオプションの中間ネットワーク６２０を介してもよい。中間ネットワーク６２０は、パブリック、プライベート、又はホストされたネットワークのうちの一つ以上の組合せであってもよく、中間ネットワーク６２０は、もしあれば、バックボーン・ネットワーク又はインターネットであってもよく、特に、中間ネットワーク６２０は、二つ以上のサブネットワーク（図示せず）を含んでもよい。
【０１７７】
図６の通信システムは全体として、接続されたＵＥ６９１、６９２とホスト・コンピュータ６３０との間の接続を可能にする。接続は、ＯＴＴコネクション６５０として説明されてもよい。ホスト・コンピュータ６３０及び接続されたＵＥ６９１、６９２は、アクセス・ネットワーク６１１、ＣＮ６１４、任意の中間ネットワーク６２０、及び可能なさらなるインフラストラクチャ（図示せず）を媒介として使用して、ＯＴＴ接続６５０を介してデータ及び／又はシグナリングを通信するように構成される。ＯＴＴ接続６５０は、ＯＴＴ６５０が通過する参加通信デバイスがアップリンク通信及びダウンリンク通信のルーティングに気付かないという意味で、トランスペアレントであってもよい。例えば、基地局６１２は、接続されたＵＥ６９１に転送される（例えば、ハンドオーバされる）ためにホスト・コンピュータ６３０から発信されるデータを有する入来ダウンリンク通信の過去のルーティングについて知らされなくてもよいし、知らされる必要がない。同様に、基地局６１２は、ＵＥ６９１からホスト・コンピュータ６３０へ向かう発信アップリンク通信の将来のルーティングを認識する必要はない。
【０１７８】
図７は、本書で説明される様々な態様による通信システムの別の実施形態を示す。実施形態に従って、先行する段落で説明されたＵＥ、基地局、ホスト・コンピュータの例示の実装が、ここで図７を参照して説明される。通信システム７００において、ホスト・コンピュータ７１０は、通信システム７００の異なる通信デバイスのインタフェースとの有線又はワイヤレス接続をセットアップ及び維持するように構成された通信インタフェース７１６を含むハードウェア７１５を含む。ホスト・コンピュータ７１０は、記憶及び／又は処理能力を有してもよい処理回路７１８をさらに備える。特に、処理回路７１８は、命令を実行するように適合された一つ以上のプログラマブル・プロセッサ、特定用途向け集積回路、フィールド・プログラマブル・ゲート・アレイ又はこれらの組み合わせ（図示せず）を含んでもよい。ホスト・コンピュータ７１０はさらにソフトウェア７１１を備え、ソフトウェア７１１は、ホスト・コンピュータ７１０に記憶されるか、又はアクセス可能であり、処理回路７１８によって実行可能である。ソフトウェア７１１は、ホスト・アプリケーション７１２を含む。ホスト・アプリケーション７１２は、ＵＥ７３０及びホスト・コンピュータ７１０で終端するＯＴＴ接続７５０を介して接続するＵＥ７３０のようなリモート・ユーザにサービスを提供するように動作可能であってもよい。リモート・ユーザにサービスを提供する際に、ホスト・アプリケーション７１２は、ＯＴＴ接続７５０を使用して送信されるユーザ・データを提供してもよい。
【０１７９】
通信システム７００はさらに、遠隔通信システム内に設けられ、ホスト・コンピュータ７１０及びＵＥ７３０と通信することを可能にするハードウェア７２５を含む基地局７２０を含む。ハードウェア７２５は、通信システム７００の異なる通信デバイスのインタフェースとの有線又はワイヤレス接続をセットアップ及び維持するための通信インタフェース７２６、ならびに基地局７２０によってサービス提供されるカバレッジ・エリア（図７には示されていない）に位置するＵＥ７３０との少なくともワイヤレス接続７７０をセットアップ及び維持するための無線インタフェース７２７を含んでもよい。通信インタフェース７２６は、ホスト・コンピュータ７１０への接続７６０を容易にするように構成されてもよい。接続７６０は直接的であってもよいし、電気通信システムのＣＮ（図７には示されていない）を通過してもよいし、及び／又は電気通信システムの外の一つ以上の中間ネットワークを通過してもよい。図示される実施形態では、基地局７２０のハードウェア７２５は、一つ以上のプログラマブル・プロセッサ、特定用途向け集積回路、フィールド・プログラマブル・ゲート・アレイ、又は命令を実行するように適合されたこれら（図示せず）の組み合わせを含んでもよい処理回路７２８をさらに含む。さらに、基地局７２０は、内部に格納されるか、又は外部接続を介してアクセス可能なソフトウェア７２１を有する。
【０１８０】
通信システム７００は、既に言及したＵＥ７３０をさらに含む。このハードウェア７３５は、ＵＥ７３０が現在位置するカバレッジ・エリアにサービス提供する基地局とのワイヤレス接続７７０をセットアップし維持するように構成された無線インタフェース７３７を含んでもよい。ＵＥ７３０のハードウェア７３５は処理回路７３８をさらに含み、処理回路は、一つ以上のプログラマブル・プロセッサ、特定用途向け集積回路、フィールド・プログラマブル・ゲート・アレイ、又は命令を実行するように適合されたこれら（図示せず）の組み合わせを含んでもよい。ＵＥ７３０はさらにソフトウェア７３１を備え、ソフトウェア７３１はＵＥ７３０内に格納されるか又はアクセス可能であり、処理回路７３８によって実行可能である。ソフトウェア７３１は、クライアント・アプリケーション７３２を含む。クライアント・アプリケーション７３２は、ホスト・コンピュータ７１０のサポートを受けて、ＵＥ７３０を介して人間又は非人間のユーザにサービスを提供するように動作可能であってもよい。ホスト・コンピュータ７１０において、実行中のホスト・アプリケーション７１２は、ＵＥ７３０及びホスト・コンピュータ７１０で終端するＯＴＴ接続７５０を介して、実行中のクライアント・アプリケーション７３２と通信してもよい。ユーザにサービスを提供する際に、クライアント・アプリケーション７３２はホスト・アプリケーション７１２から要求データを受信し、要求データに応答してユーザ・データを提供してもよい。ＯＴＴ接続７５０は、要求データとユーザ・データの両方を転送してもよい。クライアント・アプリケーション７３２は、ユーザと対話して、それが提供するユーザ・データを生成してもよい。
【０１８１】
図７に示されるホスト・コンピュータ７１０、基地局７２０、及びＵＥ７３０は、それぞれ、図６のホスト・コンピュータ６３０、基地局６１２ａ、６１２ｂ、６１２ｃのうちの一つ、及びＵＥ６９１、６９２のうちの一つと同様又は同一であってもよいことに留意されたい。すなわち、これらのエンティティの内部動作は図７に示されるようなものであってもよく、独立して、周囲のネットワーク・トポロジは図６のものであってもよい。
【０１８２】
図７では、ＯＴＴ接続７５０は、いかなる中間デバイスも明示的に参照せず、これらのデバイスを介したメッセージの正確なルーティングも参照せずに、基地局７２０を介したホスト・コンピュータ７１０とＵＥ７３０との間の通信を説明するように、抽象的に描がかれている。ネットワーク・インフラストラクチャはルーティングを決定してもよく、ルーティングはＵＥ７３０から、又はホスト・コンピュータ７１０を動作するサービス・プロバイダから、あるいはその両方から隠すように構成されてもよい。ＯＴＴ接続７５０がアクティブである間、ネットワーク・インフラストラクチャは、（例えば、負荷バランシングの考慮又はネットワークの再構成に基づいて）ルーティングを動的に変更する決定をさらに行ってもよい。
【０１８３】
ＵＥ７３０と基地局７２０との間のワイヤレス接続７７０は、本開示全体にわたって説明される実施形態の教示に従う。様々な実施形態のうちの一つ以上は、ワイヤレス接続７７０が最後のセグメントを形成するＯＴＴ接続７５０を使用して、ＵＥ７３０に提供されるＯＴＴサービスの性能を改善する。より正確には、これらの実施形態の教示は、ネットワーク・スライス選択を改善し、それによって、中断されないＯＴＴサービスのような利点を提供してもよい。
【０１８４】
一つ以上の実施形態が改善するデータ速度、レイテンシ、及び他の要因を監視する目的で、測定手続きが提供されてもよい。さらに、測定結果の変動に応答して、ホスト・コンピュータ７１０とＵＥ７３０との間のＯＴＴ接続７５０を再構成するためのオプションのネットワーク機能があってもよい。ＯＴＴ接続７５０を再構成するための測定手続き及び／又はネットワーク機能は、ホスト・コンピュータ７１０のソフトウェア７１１及びハードウェア７１５、又はＵＥ７３０のソフトウェア７３１及びハードウェア７３５、あるいはその両方で実施してもよい。実施形態では、ＯＴＴ接続７５０が通過する通信デバイスに配備されるか、又はこれに関連してセンサ（図示せず）が配備されてもよく、センサは、上記で例示された監視量の値を供給することによって、又はソフトウェア７１１、７３１が監視量を計算又は推定してもよい他の物理量の値を供給することによって、測定手続きに関与してもよい。ＯＴＴ接続７５０の再構成は、メッセージ・フォーマット、再送信設定、好ましいルーティングなどを含んでもよく、再構成は、基地局７２０に影響を及ぼす必要はなく、これは、基地局７２０に知られていないか又は知覚されなくてもよい。このような手続き及び機能は当技術分野で公知であり、実践されてもよい。ある実施形態では、測定は、スループット、伝搬時間、レイテンシなどのホスト・コンピュータ７１０の測定を容易にする独自のＵＥシグナリングを含んでもよい。測定は、ソフトウェア７１１及び７３１が伝搬時間、エラーなどを監視しながら、ＯＴＴ接続７５０を使用して、メッセージ、特に空又は「ダミー」メッセージを送信させることによって実施されてもよい。
【０１８５】
図８は、一つの実施形態による、ホスト・コンピュータ、基地局、及びＵＥを含む通信システムにおいて実施される方法を示すフローチャートである。通信システムは、図６及び図７を参照して説明されたものであってもよいホスト・コンピュータ、基地局、及びＵＥを含む。本開示を簡単にするために、図８に対する図面参照のみがこのセクションに含まれる。ステップ８１０において、ホスト・コンピュータはユーザ・データを提供する。ステップ８１０のサブステップ８１１（これはオプションであってもよい）において、ホスト・コンピュータは、ホスト・アプリケーションを実行することによってユーザ・データを提供する。ステップ８２０において、ホスト・コンピュータは、ＵＥへユーザ・データを伝える送信を開始する。ステップ８３０（これはオプションであってもよい）において、基地局は、この開示全体にわたって説明される実施形態の教示に従って、ホスト・コンピュータが開始した送信において伝えられたユーザ・データをＵＥに送信する。ステップ８４０（これはオプションであってもよい）において、ＵＥは、ホスト・コンピュータによって実行されるホスト・アプリケーションに関連付けられたクライアント・アプリケーションを実行する。
【０１８６】
図９は、一つの実施形態による、ホスト・コンピュータ、基地局、及びＵＥを含む通信システムにおいて実施される方法を示すフローチャートである。通信システムは、図６及び図７を参照して説明されたものであってもよいホスト・コンピュータ、基地局、及びＵＥを含む。本開示を簡単にするために、図９に対する図面参照のみがこのセクションに含まれる。本方法のステップ９１０において、ホスト・コンピュータはユーザ・データを提供する。オプションのサブステップ（図示せず）において、ホスト・コンピュータは、ホスト・アプリケーションを実行することによってユーザ・データを提供する。ステップ９２０において、ホスト・コンピュータは、ＵＥへユーザ・データを伝える送信を開始する。送信は、この開示全体にわたって説明される実施形態の教示に従って、基地局を介して渡されてもよい。ステップ９３０（これはオプションであってもよい）において、ＵＥは、送信において伝えられたユーザ・データを受信する。
【０１８７】
図１０は、一つの実施形態による、通信システムにおいて実施される方法を示すフローチャートである。通信システムは、図６及び図７を参照して説明されたものであってもよいホスト・コンピュータ、基地局、及びＵＥを含む。本開示を簡単にするために、図１０に対する図面参照のみがこのセクションに含まれる。ステップ１０１０（これはオプションであってもよい）において、ＵＥは、ホスト・コンピュータによって提供された入力データを受信する。これに加えて又はこれに代えて、ステップ１０２０において、ＵＥはユーザ・データを提供する。ステップ１０２０のサブステップ１０２１（これはオプションであってもよい）において、ＵＥは、クライアント・アプリケーションを実行することによってユーザ・データを提供する。ステップ１０１０のサブステップ１０１１（これはオプションであってもよい）において、ＵＥは、ホスト・コンピュータによって提供された受信入力データに応答してユーザ・データを提供するクライアント・アプリケーションを実行する。ユーザ・データを提供する際に、実行されたクライアント・アプリケーションは、ユーザから受け取ったユーザ入力をさらに考慮してもよい。ユーザ・データが提供された特定の方法にかかわらず、ＵＥは、サブステップ１０３０（これはオプションであってもよい）において、ホスト・コンピュータへのユーザ・データの送信を開始する。本方法のステップ１０４０において、ホスト・コンピュータは、本開示全体にわたって説明される実施形態の教示に従って、ＵＥから送信されたユーザ・データを受信する。
【０１８８】
図１１は、一つの実施形態による、通信システムにおいて実施される方法を示すフローチャートである。通信システムは、図６及び図７を参照して説明されたものであってもよいホスト・コンピュータ、基地局、及びＵＥを含む。本開示を簡単にするために、図１１に対する図面参照のみがこのセクションに含まれる。ステップ１１１０（これはオプションであってもよい）において、本開示全体にわたって説明される実施形態の教示に従って、基地局は、ＵＥからユーザ・データを受信する。ステップ１１２０（これはオプションであってもよい）において、基地局は、受信されたユーザ・データのホスト・コンピュータへの送信を開始する。ステップ１１３０（これはオプションであってもよい）において、ホスト・コンピュータは、基地局によって開始された送信において伝えられるユーザ・データを受信する。
【０１８９】
図１２は無線ネットワーク（例えば、図２に示される無線ネットワーク）における装置１２００の概略ブロック図を示す。装置はワイヤレス・デバイス、基地局、又はネットワーク・ノード（例えば、図２に示されるワイヤレス・デバイス２１０又はネットワーク・ノード２６０、あるいは図７に示される基地局７２０）において実装されてもよい。装置１２００は、本書で開示される例示的なプロセス又は方法を実行するように動作可能である。本書に開示されるプロセス又は方法は、必ずしも装置１２００のみによって実行されるわけではないことも理解されるべきである。本方法の少なくともいくつかの動作は、一つ以上の他のエンティティによって実行されうる。
【０１９０】
仮想装置１２００は、一つ以上のマイクロプロセッサ又はマイクロコントローラを含んでもよい処理回路、ならびにＤＳＰ、専用デジタル・ロジックなどを含んでもよい他のデジタル・ハードウェアを含んでもよい。処理回路は、リード・オンリ・メモリ（ＲＯＭ）、ランダム・アクセス・メモリ、キャッシュ・メモリ、フラッシュ・メモリ・デバイス、光記憶デバイスなどのような一つ又はいくつかのタイプのメモリを含んでもよい、メモリに格納されたプログラム・コードを実行するように構成されてもよい。メモリに格納されたプログラム・コードは、いくつかの実施形態では一つ以上の電気通信及び／又はデータ通信プロトコルを実行するためのプログラム命令、ならびに本書で説明される技術のうちの一つ以上を実行するための命令を含む。いくつかの実装形態では、処理回路は、装置内の様々なユニットに、本開示の一つ以上の実施形態による対応する機能を実行させるために使用されてもよい。
【０１９１】
図１２に説明されるように、装置１２００は、受信ユニット１２０２、決定ユニット１２０４、及び送信ユニット１２０６のうちの一つ以上を含む。一つの実施形態では、装置１２００は基地局の機能を実装してもよく、この場合、受信ユニット１２０２はネットワーク・スライスの知識に基づいて、無線アクセス技術（ＲＡＴ）及び／又は周波数選択のための情報を受信してもよく、送信ユニット１２０６はこの情報をＵＥに提供してもよい。別の実施形態では、装置１２００はＣＮノードの機能を実装してもよく、この場合、決定ユニット１２０４はネットワーク・スライスの知識に基づいて、無線アクセス技術（ＲＡＴ）及び／又は周波数選択のための情報を決定してもよく、送信ユニット１２０６はこの情報を基地局に送信してもよい。
【０１９２】
ユニットという用語は電子機器、電気デバイス、及び／又は電子デバイスの分野において従来の意味を有してもよく、例えば、本書で説明されるような、電気及び／又は電子回路、デバイス、モジュール、プロセッサ、メモリ、ロジック・ソリッド・ステート及び／又はディスクリート・デバイス、個別のタスク、手続き、計算、出力、及び／又は表示機能などを実行するためのコンピュータ・プログラム又は命令を含んでもよい。
【０１９３】
図１３は、いくつかの実施形態による基地局において実施される方法を示すフローチャートである。図１３に示される実施形態では、本方法は、ネットワーク・スライスの知識に基づいて決定されてもされなくてもよく、オプションでネットワーク・スライスの知識を含んでもよいＲＡＴ及び／又は周波数選択のための情報を受信すること（ステップ１３００）、アイドル・モード・キャンピング及び／又はアクティブ・モード・モビリティを制御するためのＵＥ固有セル再選択プライオリティを決定するために、（ネットワーク・スライスの知識ありで又はなしで、）受信された情報を使用すること（ステップ１３０２）、及びＵＥ固有セル再選択プライオリティをＵＥに提供すること（ステップ１３０４）を含む。
【０１９４】
図１４は、いくつかの実施形態による、ＣＮノードにおいて実施される方法を示すフローチャートである。図１４に示される実施形態では、本方法は、ネットワーク・スライスの知識に基づいて決定されてもされなくてもよいＲＡＴ及び／又は周波数選択のための情報を決定すること（ステップ１４００）、及び（オプションでネットワーク・スライスの知識も含んでもよい）本情報をＲＡＮノードへ送信すること（ステップ１４０２）を含む。
【０１９５】
例えば、一つの実施形態では、ＣＮノードは、ＲＡＴ及び／又は周波数選択のための情報を決定する際にネットワーク・スライスの知識を考慮し、決定された情報だけをＲＡＮノードへ送信してもよい。別の実施形態では、ＣＮノードは、ネットワーク・スライスの知識を考慮せずにＲＡＴ及び／又は周波数選択のための情報を決定し、代わりにＣＮノードによって決定された情報と共にネットワーク・スライスの知識をＲＡＮノードへ送信することを選択し、ＲＡＮノードに、ＣＮノードによって決定された情報及びネットワーク・スライスの知識に基づいて独自の決定をさせてもよい。さらに別の実施形態では、ＣＮノードは、ＲＡＴ及び／又は周波数選択のための情報を決定している間にネットワーク・スライスの知識を考慮してもよいが、ネットワーク・スライスの知識情報を、いずれにせよ、ＣＮノードによって決定された情報とともにＲＡＮノードに送信してもよく、この場合、ＣＮノード及びＲＡＮノードの両方がそれぞれの決定を行っている間にネットワーク・スライスの知識を考慮する。
提案されるソリューションの利点
【０１９６】
ＣＮがＵＥスライスとＲＦＳＰインデックスのようなインデックス・パラメータとの間のマッピングを自身で実行する場合のソリューションの利点は、特定のＵＥが特定のインデックス・パラメータに割り当てられる理由をＲＡＮ又はＲＡＮノードが認識する必要がないことである。ＲＡＮ又はＲＡＮノードは、所与のＲＦＳＰインデックスに対してどのＵＥ固有セル周波数ＲＡＴ再選択プライオリティが適用されるべきかを知るだけでよい。
【０１９７】
本ソリューションは、ＩＤＬＥ（ＵＥトリガ）及びＡＣＴＩＶＥ（ネットワーク制御）モビリティの両方に使用されうる。
【０１９８】
ＣＮはまた、スライス情報及び他の加入関連ポリシーの両方と一致するセル／周波数選択ポリシーを有することを可能にするＲＦＳＰインデックスの設定において（他の）加入ベースの情報を考慮してもよい。これは、ＲＡＮが加入情報についてあまり知らないので、ＲＡＮベースのソリューションでは困難であろう。
【０１９９】
ＣＮがＲＦＳＰインデックスとともにＲＡＮにスライス情報を提供する場合の代替実施形態の利点は、この場合、ＵＥのためのアクティブ・スライスだけでなく、登録されサポートされているスライスにも関係する情報がＲＡＮで使用可能になり、加入情報の知識の欠如のような上記の欠点のいくつかを解決できることである。
番号付き実施形態
【０２００】
これに限定されるものではないが、本開示のいくつかの例示的な実施形態が以下に提供される。
１．  ＵＥと通信するように構成された基地局であって、無線インタフェースと、ネットワーク・スライスの知識に基づいてＲＡＴ及び／又は周波数選択のための情報を受信し、前記情報を前記ＵＥに提供するように構成された処理回路とを備える基地局。
２．  実施形態１に記載の基地局で会って、ネットワーク・スライスの前記知識は、前記ＵＥについてのアクティブ・スライス、前記ＵＥが登録又は接続されているスライス、及び／又は前記ＵＥが加入情報に基づいてアクセスを許可されているスライスの知識を含む、基地局。
３．  実施形態１又は２の基地局であって、ＲＡＴ及び／又は周波数選択のための前記情報は、インデックス・パラメータを含む、基地局。
４．  実施形態３の基地局であって、前記インデックス・パラメータは、ＲＡＴ及び／又はＲＦＳＰインデックスを含む、基地局。
５．  実施形態１乃至４の何れか一つに記載の基地局であって、前記基地局は、前記ＵＥ、ＲＡＮノード、又は別のノードからネットワーク・スライスの前記知識を受信するように構成される、基地局。
６．  ユーザ・データを提供するように構成された処理回路と、ＵＥへの送信のためにセルラー・ネットワークに前記ユーザ・データを転送するように構成された通信インタフェースと、を備えるホスト・コンピュータを含む通信システムであって、セルラー・ネットワークは、無線インタフェース及び処理回路を有する基地局を備え、前記基地局の処理回路は、ネットワーク・スライスの知識に基づいてＲＡＴ及び／又は周波数選択のための情報を受信し、前記情報を前記ＵＥに提供するように構成される、通信システム。
７．  実施形態６に記載の通信システムであって、前記基地局は、前記情報を供給するためのＣＮノードから前記情報を受信するように構成される、通信システム。
８．  実施形態６又は７に記載の通信システムであって、前記ＣＮノードをさらに含む、通信システム。
９．  請求項６乃至８の何れか一つに記載の通信システムであって、前記基地局は、前記情報を供給するためのＵＥノードから前記情報を受信するように構成される、通信システム。
１０．  実施形態６乃至８の何れか一つに記載の通信システムであって、前記ＵＥをさらに含み、前記ＵＥが前記基地局と通信するように構成される、通信システム。
１１．  請求項６乃至１０の何れか一つに記載の通信システムであって、前記ホスト・コンピュータの前記処理回路は、ホスト・アプリケーションを実行するように構成され、それにより、前記ユーザ・データを提供し、前記ＵＥは、前記ホスト・アプリケーションに関連するクライアント・アプリケーションを実行するように構成された処理回路を備える、通信システム。
１２．  基地局と通信するように構成されたＣＮノードであって、前記ＣＮノードは、ネットワーク・スライスの知識に基づいてＲＡＴ及び／又は周波数選択のための情報を決定し、前記情報を前記基地局に送信するように構成された処理回路を備える、ＣＮノード。
１３．  実施形態１２に記載のＣＮノードであって、前記ＣＮノードは、ＡＭＦ、ＳＭＦ、ＭＭＥ、又はＨＳＳのうちの一つを含む、ＣＮノード。
１４．  実施形態１２又は１３に記載のＣＮノードであって、ネットワーク・スライスの前記知識は、前記ＵＥについてのアクティブ・スライス、ＵＥが登録又は接続されているスライス、及び／又はＵＥが加入情報に基づいてアクセスを許可されているスライスの知識を含む、ＣＮノード。
１５．  実施形態１２乃至１４の何れか一つに記載のＣＮノードであって、ＲＡＴ及び／又は周波数選択のための前記情報は、インデックス・パラメータを含む、ＣＮノード。
１６．  実施形態１５のＣＮノードであって、前記インデックス・パラメータは、ＲＦＳＰインデックスを含む、ＣＮノード。
１７．  実施形態１２乃至１６の何れか一つに記載のＣＮノードであって、ネットワーク・スライスの前記知識は、ＵＥ、ＲＡＮノード、又は他のノードからＣＮに提供される、ＣＮノード。
１８．  ユーザ・データを提供するように構成された処理回路と、ＵＥへの送信のためにセルラー・ネットワークに前記ユーザ・データを転送するように構成された通信インタフェースと、を備えるホスト・コンピュータを含む通信システムであって、前記セルラー・ネットワークは、処理回路を有するＣＮノードを備え、前記ＣＮノードの処理回路は、ネットワーク・スライスの知識に基づいてＲＡＴ及び／又は周波数選択のための情報を決定し、前記情報を前記基地局に送信するように構成される、通信システム。
１９．  実施形態１８の通信システムであって、前記基地局をさらに含む、通信システム。
２０．  実施形態１８又は１９に記載の通信システムであって、前記ＵＥをさらに含み、前記ＵＥは、前記基地局と通信するように構成される、通信システム。
２１．  実施形態１８乃至２０の何れか一つに記載の通信システムであって、前記ホスト・コンピュータの前記処理回路は、ホスト・アプリケーションを実行するように構成され、それによって前記ユーザ・データを提供し、前記ＵＥは、前記ホスト・アプリケーションに関連するクライアント・アプリケーションを実行するように構成された処理回路を備える、通信システム。
２２．  実施形態１８乃至２１の何れか一つに記載の通信システムであって、前記ＣＮノードは、ＡＭＦ、ＳＭＦ、ＭＭＥ、又はＨＳＳのうちの一つを含む、通信システム。
２３．  実施形態１８乃至２２の何れか一つに記載の通信システムであって、ネットワーク・スライスの前記知識は、前記ＵＥについてのアクティブ・スライス、前記ＵＥが登録され又は接続されているスライス、及び／又は前記ＵＥが加入情報に基づいてアクセスを許可されているスライスの知識を含む、通信システム。
２４．  実施形態１８乃至２３の何れか一つに記載の通信システムであって、ＲＡＴ及び／又は周波数選択のための前記情報は、インデックス・パラメータを含む、通信システム。
２５．  実施形態２４に記載の通信システムであって、前記インデックス・パラメータは、ＲＦＳＰインデックスを含む、通信システム。
２６．  実施形態１８乃至２５の何れか一つに記載の通信システムであって、ネットワーク・スライスの前記知識は、ＵＥ、ＲＡＮノード、又は他のノードから前記ＣＮノードに提供される、通信システム。
２７．  基地局において実施される方法であって、前記方法は、ネットワーク・スライスの知識に基づいてＲＡＴ及び／又は周波数選択のための情報を受信することと、前記情報を前記ＵＥに提供することと、を有する、方法
２８．  実施形態２７に記載の方法であって、ＲＡＴ及び／又は周波数選択のための前記情報は、インデックス・パラメータを含む、方法。
２９．  実施形態２８に記載の方法であって、前記インデックス・パラメータは、ＲＦＳＰインデックスを含む、方法。
３０．  ホスト・コンピュータ、基地局、及びＵＥを含む通信システムにおいて実施される方法であって、前記ホスト・コンピュータにおいて、ユーザ・データを提供することと、前記ホスト・コンピュータにおいて、前記基地局を備えるセルラー・ネットワークを介して前記ＵＥに前記ユーザ・データを伝える送信を開始することと、を有し、前記基地局は、ネットワーク・スライスの知識に基づいてＲＡＴ及び／又は周波数選択のための情報を受信し、前記情報を前記ＵＥに提供する、方法。
３１．  実施形態３０に記載の方法であって、前記ユーザ・データは、ホスト・アプリケーションを実行することによって前記ホスト・コンピュータにおいて提供され、前記方法は、前記ＵＥにおいて、前記ホスト・アプリケーションに関連する前記クライアント・アプリケーションを実行することをさらに有する、方法。
３２．  ＣＮノードにおいて実施される方法であって、前記方法は、ネットワーク・スライスの知識に基づいてＲＡＴ及び／又は周波数選択のための情報を決定することと、前記情報を前記基地局に送信することと、を有する、方法。
３３．  実施形態３２に記載の方法に記載の方法であって、ネットワーク・スライスの前記知識は、前記ＵＥについてのアクティブ・スライス、前記ＵＥが登録又は接続されているスライス、及び／又は前記ＵＥが加入情報に基づいてアクセスを許可されているスライスの知識を含む、方法。
３４．  実施形態３２又は３３の方法であって、ＲＡＴ及び／又は周波数選択のための前記情報は、インデックス・パラメータを含む、方法。
３５．  実施形態３４に記載の方法であって、前記インデックス・パラメータは、ＲＡＴ及び／又はＲＦＳＰインデックスを含む、方法。
３６．  ホスト・コンピュータ、ＣＮノード、基地局、及びＵＥを含む通信システムにおいて実施される方法であって、前記方法は、前記ホスト・コンピュータにおいて、ユーザ・データを提供することと、前記ホスト・コンピュータにおいて、前記ＣＮノードを含むセルラー・ネットワークを介して前記ＵＥに前記ユーザ・データを伝える送信を開始することと、を有し、前記ＣＮノードは、ネットワーク・スライスの知識に基づいて、ＲＡＴ及び／又は周波数選択のための情報を決定することと、前記情報を前記基地局に送信する、方法。
３７．  実施形態３９に記載の方法であって、ネットワーク・スライスの前記知識は、前記ＵＥについてのアクティブ・スライス、前記ＵＥが登録又は接続されているスライス、及び／又は前記ＵＥが加入情報に基づいてアクセスを許可されているスライスの知識を含む、方法。
３８．  実施形態３６又は３７の方法であって、ＲＡＴ及び／又は周波数選択のための前記情報は、インデックス・パラメータを含む、方法。
３９．  実施形態３８に記載の方法であって、前記インデックス・パラメータは、ＲＡＴ及び／又はＲＦＳＰインデックスを含む、方法。
【０２０１】
この開示では、以下の略語の少なくともいくつかが使用されてもよい。略号間に不一致がある場合、それが上記でどのように使用されるかが優先されるべきである。以下に複数回列挙される場合、最初の列挙は、任意の後続の列挙よりも優先されるべきである。
●  ２Ｇ                第２世代
●  ３Ｇ                第３世代
●  ３ＧＰＰ            第３世代パートナーシップ・プロジェクト
●  ４Ｇ                第４世代
●  ５Ｇ                第５世代
●  ５ＧＣ              第５世代コア・ネットワーク
●  ＡＣ                交流
●  ＡＭＦ              認証管理機能
●  ＡＮ                アクセス・ネットワーク
●  ＡＰ                アクセス・ポイント
●  ＡＳＩＣ            特定用途向け集積回路
●  ＡＴＭ              非同期転送モード
●  ＢＳＣ              基地局制御装置
●  ＢＴＳ              無線基地局
●  ＣＣＮＦ            共通制御ネットワーク機能
●  ＣＤ                コンパクト・ディスク
●  ＣＤＭＡ            符号分割多重アクセス
●  ＣＮ                コア・ネットワーク
●  ＣＯＴＳ            商業上オン・ザ・シェルフ
●  ＣＰＥ              宅内機器
●  ＣＰＵ              中央処理ユニット
●  Ｄ２Ｄ              デバイス対デバイス
●  ＤＡＳ              分散型アンテナ・システム
●  ＤＣ                直流
●  ＤＩＭＭ            デュアル・インライン・メモリ・モジュール
●  ＤＲＢ              データ無線ベアラ
●  ＤＳＰ              デジタル信号プロセッサ
●  ＤＶＤ              デジタル・ビデオ・ディスク
●  ＥＥＰＲＯＭ        電気的消去可能プログラマブル・リード・オンリ・メモリ
●  ｅＭＴＣ            発展型マシン・タイプ通信
●  ｅＮＢ              拡張型又は発展型ノードＢ
●  ＥＰＣ              発展型パケットコア
●  ＥＰＲＯＭ          消去可能プログラマブル・リード・オンリ・メモリ
●  Ｅ−ＳＭＬＣ        発展型サービング・モバイル・ロケーション・センタ
●  Ｅ−ＵＴＲＡ        発展型ユニバーサル地上無線アクセス
●  ｇＮＢ              ニュー・ラジオ基地局
●  ＧＰＳ              全地球測位システム
●  ＧＳＭ              モバイル通信用グローバル・システム
●  ＨＤＤＳ            ホログラフィック・デジタル・データ記憶装置
●  ＨＤ‐ＤＶＤ        高密度デジタル・ビデオ・ディスク
●  ＨＰＬＭＮ          ホーム公衆陸上移動通信網
●  ＨＳＳ              ホーム加入者サーバ
●  ＩＤ                識別子
●  Ｉ／Ｏ              入出力
●  ＩｏＴ              モノのインターネット
●  ＩＰ                インターネット・プロトコル
●  ＬＡＮ              ローカル・エリア・ネットワーク
●  ＬＥＥ              ラップトップ内蔵機器
●  ＬＭＥ              ラップトップ搭載機器
●  ＬＴＥ              ロング・ターム・エボリューション
●  Ｍ２Ｍ              マシン対マシン
●  ＭＡＮＯ            管理及びオーケストレーション
●  ＭＣＥ              マルチセル／マルチキャスト協調エンティティ
●  ＭＤＴ              最小化及びドライブ・テスト
●  ＭＩＭＯ            多入力多出力
●  ＭＭ                モビリティ管理
●  ＭＭＥ              モビリティ管理エンティティ
●  ＭＳＣ              移動交換センタ
●  ＭＳＲ              マルチ・スタンダード・ラジオ
●  ＭＴＣ              マシン・タイプ通信
●  ＮＡＳ              非アクセス層
●  ＮＢ                ノードＢ
●  ＮＢ−ＩｏＴ        狭帯域モノのインターネット
●  ＮＦＶ              ネットワーク機能の仮想化
●  ＮＧ                次世代
●  ＮＧ−ＲＡＮ        次世代無線アクセス・ネットワーク
●  ＮＩＣ              ネットワーク・インタフェース・コントローラ
●  ＮＲ                ニュー・ラジオ
●  ＮＳＩ              ネットワーク・スライス・インスタンス
●  ＮＳＩＳＦ          ネットワーク・スライス・インスタンス選択機能
●  ＮＳＳＡＩ          ネットワーク・スライス選択支援情報
●  Ｏ＆Ｍ              運用＆保守
●  ＯＳＳ              業務支援システム
●  ＯＴＴ              オーバ・ザ・トップ
●  ＰＤＡ              携帯情報端末
●  ＰＤＵ              プロトコル・データ・ユニット
●  ＰＲＯＭ            プログラム可能リード・オンリ・メモリ
●  ＰＳＴＮ            公衆交換電話網
●  ＲＡＣＨ            ランダム・アクセス・チャネル
●  ＲＡＩＤ            独立ディスクの冗長アレイ
●  ＲＡＭ              ランダム・アクセス・メモリ
●  ＲＡＮ              無線アクセス・ネットワーク
●  ＲＡＮ２            無線レイヤ２及び無線レイヤ３に関する３ＧＰＰ技術仕様グループ：無線インタフェース・アーキテクチャ
●  ＲＡＴ              無線アクセス技術
●  Ｒｅｌ              リリース
●  ＲＦ                無線周波数
●  ＲＦＳＰ            ＲＡＴ／周波数選択プライオリティ
●  ＲＮＣ              無線ネットワーク・コントローラ
●  ＲＯＭ              リード・オンリ・メモリ
●  ＲＲＣ              無線リソース制御
●  ＲＲＨ              リモート無線ヘッド
●  ＲＲＭ              無線リソース管理
●  ＲＲＵ              リモート無線ユニット
●  ＲＵＩＭ            リムーバブル・ユーザ識別モジュール
●  ＳＡ２              サービス及びシステム側面に関する３ＧＰＰ技術仕様グループ：アーキテクチャ
●  ＳＤ                スライス・ディファレンシエータ
●  ＳＤＲＡＭ          同期動的ランダム・アクセス・メモリ
●  ＳＩＭ              加入者識別モジュール 
●  ＳＭＦ              セッション管理機能
●  ＳＭ−ＮＳＳＡＩ    セッション管理ネットワーク・スライス選択支援情報
●  ＳＯＣ              システム・オン・チップ
●  ＳＯＮ              自己組織化ネットワーク
●  ソネット            同期光ネットワーク
●  ＳＳＴ              スライス・サービス・タイプ
●  ＴＡ                トラッキング・エリア
●  ＴＣＰ              伝送制御プロトコル
●  ＴＳ                技術仕様
●  ＵＥ                ユーザ機器
●  ＵＭＴＳ            ユニバーサル・モバイル・テレコミュニケーション・システム
●  ＵＳＢ              ユニバーサル・シリアル・バス
●  ＵＴＲＡＮ          ユニバーサル地上無線アクセス・ネットワーク
●  Ｖ２Ｉ              車両対インフラストラクチャ
●  Ｖ２Ｖ              車両対車両
●  Ｖ２Ｘ              車両対エブリシング
●  ＶＭＭ              仮想マシン・モニタ
●  ＶＮＥ              仮想ネットワーク要素
●  ＶＮＦ              仮想ネットワーク機能
●  ＶｏＩＰ            ボイス・オーバ・インターネット・プロトコル
●  ＷＡＮ              ワイド・エリア・ネットワーク
●  ＷＣＤＭＡ          広帯域符号分割多重アクセス方式
●  ＷＤ                ワイヤレス・デバイス
●  ＷＧ                ワーキング・グループ
●  ＷｉＭａｘ          世界規模インタオペラビリティ・フォ・マイクロ波アクセス
●  ＷＬＡＮ            無線ローカル・エリア・ネットワーク
当業者は、本開示の実施形態に対する改良及び修正を認識するだろう。すべてのこのような改良及び修正は、本書に開示された概念の範囲内にあるとみなされる。
【図１】
2020535692.tif 000003
【図２】
2020535692.tif 000004
【図３】
2020535692.tif 000005
【図４】
2020535692.tif 000006
【図５】
2020535692.tif 000007
【図６】
2020535692.tif 000008
【図７】
2020535692.tif 000009
【図８】
2020535692.tif 000010
【図９】
2020535692.tif 000011
【図１０】
2020535692.tif 000012
【図１１】
2020535692.tif 000013
【図１２】
2020535692.tif 000014
【図１３】
2020535692.tif 000015
【図１４】
2020535692.tif 000016
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
無線アクセス・ネットワーク（ＲＡＮ）ノードと通信するように構成されたコア・ネットワーク（ＣＮ）ノードであって、前記ＣＮノードは、
ユーザ機器（ＵＥ）に関連するネットワーク・スライスの知識に基づいて、無線アクセス技術（ＲＡＴ）及び／又は周波数選択のための情報を決定することと、
前記決定された情報を前記ＲＡＮノードへ送信することと、
を行うように構成された処理回路を備える、ＣＮノード。
【請求項２】
請求項１に記載のＣＮノードであって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、ＣＮノード。
【請求項３】
請求項１又は２に記載のＣＮノードであって、ネットワーク・スライスの前記知識は、
ネットワークにおけるネットワーク・スライスの可用性、
ユーザ機器（ＵＥ）についてのアクティブ・スライス、
前記ＵＥが登録又は接続されているスライス、及び／又は
加入情報に基づいて前記ＵＥがアクセスを許可されているスライス
の知識を含む、ＣＮノード。
【請求項４】
請求項１乃至３の何れか１項に記載のＣＮノードであって、前記ＲＡＴ及び／又は周波数選択のための前記決定された情報は、インデックス・パラメータを含む、ＣＮノード。
【請求項５】
請求項４に記載のＣＮノードであって、前記インデックス・パラメータは、ＲＡＴ及び／又は周波数選択プライオリティ（ＲＦＳＰ）インデックスを含む、ＣＮノード。
【請求項６】
請求項１乃至５の何れか１項に記載のＣＮノードであって、ネットワーク・スライスの前記知識は、前記ＵＥ、前記ＲＡＮノード、又は他のノードから前記ＣＮノードに提供される、ＣＮノード。
【請求項７】
請求項１乃至６の何れか１項に記載のＣＮノードであって、前記ＲＡＴ及び／又は周波数選択のための前記決定された情報は、前記ＵＥがキャンプする周波数を制御するために使用される情報を含む、ＣＮノード。
【請求項８】
請求項１乃至７の何れか１項に記載のＣＮノードであって、前記ＲＡＴ及び／又は周波数選択のための前記決定された情報は、アイドル・モード再選択のための周波数プライオリティを構成するために使用される情報を含む、ＣＮノード。
【請求項９】
コア・ネットワーク（ＣＮ）ノードにおいて実施される方法であって、前記方法は、
ユーザ機器（ＵＥ）に関連するネットワーク・スライスの知識に基づいて、無線アクセス技術（ＲＡＴ）及び／又は周波数選択のための情報を決定することと、
前記決定された情報を無線アクセス・ネットワーク（ＲＡＮ）ノードへ送信することと、
を有する、方法。
【請求項１０】
請求項９に記載の方法であって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、方法。
【請求項１１】
請求項９又は１０に記載の方法であって、ネットワーク・スライスの前記知識は、
ネットワークにおけるネットワーク・スライスの可用性、
ユーザ機器（ＵＥ）についてのアクティブ・スライス、
前記ＵＥが登録又は接続されているスライス、及び／又は
加入情報に基づいて前記ＵＥがアクセスを許可されているスライス
の知識を含む、方法。
【請求項１２】
請求項９又は１１に記載の方法であって、ＲＡＴ及び／又は周波数選択のための前記決定された情報は、インデックス・パラメータを含む、方法。
【請求項１３】
請求項１２に記載の方法であって、前記インデックス・パラメータは、ＲＡＴ及び／又は周波数選択プライオリティ（ＲＦＳＰ）インデックスを含む、方法。
【請求項１４】
請求項９乃至１３の何れか１項に記載の方法であって、ネットワーク・スライスの前記知識は、前記ＵＥ、前記ＲＡＮノード、又は他のノードから前記ＣＮノードに提供される、方法。
【請求項１５】
請求項９乃至１３の何れか１項に記載の方法であって、前記ＲＡＴ及び／又は周波数選択のための前記決定された情報は、前記ＵＥがキャンプする周波数を制御するために使用される情報を含む、方法。
【請求項１６】
請求項９乃至１５の何れか１項に記載の方法であって、前記ＲＡＴ及び／又は周波数選択のための前記決定された情報は、アイドル・モード再選択のための周波数プライオリティを構成するために使用される情報を含む、方法。
【請求項１７】
通信システムであって、
無線アクセス・ネットワーク（ＲＡＮ）ノードと通信するように構成されたコア・ネットワーク（ＣＮ）ノードであって、前記ＣＮノードは、
ユーザ機器（ＵＥ）に関連するネットワーク・スライスの知識に基づいて、無線アクセス技術（ＲＡＴ）及び／又は周波数選択のための情報を決定することと、
前記決定された情報を前記ＲＡＮノードへ送信することと、
を行うように構成された処理回路を備える、ＣＮノードと、
ユーザ機器（ＵＥ）と通信するように構成された無線アクセス・ネットワーク（ＲＡＮ）ノードであって、前記ＲＡＮノードは、無線インタフェースと、処理回路であって、
前記コア・ネットワーク（ＣＮ）ノードから無線アクセス技術（ＲＡＴ）及び／又は周波数選択のための情報を受信することと、
アイドル・モード・キャンピング及び／又はアクティブ・モード・モビリティを制御するためのＵＥ固有セル再選択プライオリティを決定するために前記受信した情報を使用することと、
前記ＵＥ固有セル再選択プライオリティを前記ＵＥに提供することと、
を行うように構成された処理回路と、を備える、ＲＡＮノードと、
を備える、通信システム。
【請求項１８】
請求項１７に記載の通信システムであって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、通信システム。
【請求項１９】
請求項１７又は１８に記載の通信システムであって、前記ＲＡＴ及び／又は周波数選択のための前記情報は、インデックス・パラメータを含む、通信システム。
【請求項２０】
請求項１９に記載の通信システムであって、前記インデックス・パラメータは、ＲＡＴ及び／又は周波数選択プライオリティ（ＲＦＳＰ）インデックスを含む、通信システム。
【請求項２１】
請求項１７乃至２０の何れか１項に記載の通信システムであって、前記ＲＡＮノードの前記処理回路は、前記ＵＥ、前記ＲＡＮノード、又は別のノードからネットワーク・スライスの前記知識を受信するようにさらに構成される、通信システム。
【請求項２２】
請求項１７乃至２１の何れか１項に記載の通信システムであって、前記ＲＡＴ及び／又は周波数選択のための前記情報は、前記ＵＥがキャンプする周波数を制御するために使用される情報を含む、通信システム。
【請求項２３】
請求項１７乃至２２の何れか１項に記載の通信システムであって、前記ＲＡＴ及び／又は周波数選択のための前記情報は、アイドル・モード再選択のための周波数プライオリティを構成するために使用される情報を含む、通信システム。
【請求項２４】
請求項１７乃至２３の何れか１項に記載の通信システムであって、前記ＲＡＮノードは、拡張型又は発展型ノードＢ（ｅＮＢ）又はニュー・ラジオ基地局（ｇＮＢ）を含む、通信システム。
【請求項２５】
コア・ネットワーク（ＣＮ）ノード及び無線アクセス・ネットワーク（ＲＡＮ）ノードを備える通信システムにおいて実施される方法であって、前記方法は、
前記ＣＮノードにおいて、
ユーザ機器（ＵＥ）に関連するネットワーク・スライスの知識に基づいて、無線アクセス技術（ＲＡＴ）及び／又は周波数選択のための情報を決定することと、
前記決定された情報を前記ＲＡＮノードへ送信することと、
前記ＲＡＮノードにおいて、
前記ＣＮノードから無線アクセス技術（ＲＡＴ）及び／又は周波数選択のための前記決定された情報を受信することと、
アイドル・モード・キャンピング及び／又はアクティブ・モード・モビリティを制御するためのＵＥ固有セル再選択プライオリティを決定するために前記受信した情報を使用することと、
前記ＵＥ固有セル再選択プライオリティを前記ＵＥに提供することと、
を有する、方法。
【請求項２６】
請求項２５に記載の方法であって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、方法。
【請求項２７】
請求項２５又は２６に記載の方法であって、前記ＲＡＴ及び／又は周波数選択のための前記情報は、インデックス・パラメータを含む、方法。
【請求項２８】
請求項２７に記載の方法であって、前記インデックス・パラメータは、ＲＡＴ及び／又は周波数選択プライオリティ（ＲＦＳＰ）インデックスを含む、方法。
【請求項２９】
請求項２５乃至２８の何れか１項に記載の方法であって、前記ＲＡＴ及び／又は周波数選択のための前記情報は、前記ＵＥがキャンプする周波数を制御するために使用される情報を含む、方法。
【請求項３０】
請求項２５乃至２９の何れか１項に記載の方法であって、前記ＲＡＴ及び／又は周波数選択のための前記情報は、アイドル・モード再選択のための周波数プライオリティを構成するために使用される情報を含む、方法。
【請求項３１】
通信システムであって、
セルラー・ネットワークと、
ホスト・コンピュータであって、
ユーザ・データを提供するように構成された処理回路と、
ユーザ機器（ＵＥ）への送信のために前記セルラー・ネットワークへ前記ユーザ・データを転送するように構成された通信インタフェースと、
を備える、ホスト・コンピュータと、を備え、
前記セルラー・ネットワークは、処理回路を有するコア・ネットワーク（ＣＮ）ノードを備え、前記ＣＮノードの前記処理回路は、ネットワーク・スライスの知識に基づいて、無線アクセス技術（ＲＡＴ）及び／又は周波数選択のための情報を決定することと、前記決定された情報を無線アクセス・ネットワーク（ＲＡＮ）ノードへ送信することと、を行うように構成される、通信システム。
【請求項３２】
請求項３１に記載の通信システムであって、前記ＲＡＮノードをさらに含む、通信システム。
【請求項３３】
請求項３１又は３２に記載の通信システムであって、前記ＵＥをさらに含み、前記ＵＥは、前記ＲＡＮノードと通信するように構成される、通信システム。
【請求項３４】
請求項３１乃至３３の何れか１項に記載の通信システムであって、
前記ホスト・コンピュータの前記処理回路は、ホスト・アプリケーションを実行し、それによって前記ユーザ・データを提供するように構成され、
前記ＵＥは、前記ホスト・アプリケーションに関連するクライアント・アプリケーションを実行するように構成された処理回路を備える、通信システム。
【請求項３５】
請求項３１乃至３４の何れか１項に記載の通信システムであって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、通信システム。
【請求項３６】
請求項３１乃至３５の何れか１項に記載の通信システムであって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、通信システム。
【請求項３７】
請求項３１乃至３６の何れか１項に記載の通信システムであって、ＲＡＴ及び／又は周波数選択のための前記情報は、インデックス・パラメータを含む、通信システム。
【請求項３８】
請求項３７に記載の通信システムであって、前記インデックス・パラメータは、ＲＡＴ及び／又は周波数選択プライオリティ（ＲＦＳＰ）インデックスを含む、通信システム。
【請求項３９】
請求項３１乃至３８の何れか１項に記載の通信システムであって、ネットワーク・スライスの前記知識は、前記ＵＥ、前記ＲＡＮノード、又は他のノードから前記ＣＮノードに提供される、通信システム。
【請求項４０】
請求項３１乃至３９の何れか１項に記載の通信システムであって、前記ＲＡＴ及び／又は周波数選択のための前記情報は、前記ＵＥがキャンプする周波数を制御するために使用される情報を含む、通信システム。
【請求項４１】
請求項３１乃至４０の何れか１項に記載の通信システムであって、前記ＲＡＴ及び／又は周波数選択のための前記情報は、アイドル・モード再選択のための周波数プライオリティを構成するために使用される情報を含む、通信システム。
【請求項４２】
ホスト・コンピュータ、コア・ネットワーク（ＣＮ）ノード、無線アクセス・ネットワーク（ＲＡＮ）ノード、及びユーザ機器（ＵＥ）を含む通信システムにおいて実施される方法であって、前記方法は、
前記ホスト・コンピュータにおいて、ユーザ・データを提供することと、
前記ホスト・コンピュータにおいて、前記ＣＮノードを含むセルラー・ネットワークを介して前記ＵＥへ前記ユーザ・データを伝える送信を開始することと、
を有し、
前記ＣＮノードは、前記ＵＥに関連するネットワーク・スライスの知識に基づいて無線アクセス技術（ＲＡＴ）及び／又は周波数選択のための情報を決定することと、前記決定された情報を前記ＲＡＮノードへ送信することと、を行う、方法。
【請求項４３】
請求項４２に記載の方法であって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、方法。
【請求項４４】
請求項４２又は４３に記載の方法であって、ネットワーク・スライスの前記知識は、
ネットワークにおけるネットワーク・スライスの可用性、
前記ＵＥについてのアクティブ・スライス、
前記ＵＥが登録又は接続されているスライス、及び／又は
加入情報に基づいて前記ＵＥがアクセスを許可されているスライス
の知識を含む、方法。
【請求項４５】
請求項４２乃至４４の何れか１項に記載の方法であって、前記ＲＡＴ及び／又は周波数選択のための前記情報は、インデックス・パラメータを含む、方法。
【請求項４６】
請求項４５に記載の方法であって、前記インデックス・パラメータは、ＲＡＴ及び／又は周波数選択プライオリティ（ＲＦＳＰ）インデックスを含む、方法。
【請求項４７】
請求項４２乃至４６の何れか１項に記載の方法であって、ネットワーク・スライスの前記知識は、前記ＵＥ、前記ＲＡＮノード、又は他のノードから前記ＣＮノードに提供される、方法。
【請求項４８】
請求項４２乃至４７の何れか１項に記載の方法であって、前記ＲＡＴ及び／又は周波数選択のための前記情報は、前記ＵＥがキャンプする周波数を制御するために使用される情報を含む、方法。
【請求項４９】
請求項４２乃至４８の何れか１項に記載の方法であって、前記ＲＡＴ及び／又は周波数選択のための前記情報は、アイドル・モード再選択のための周波数プライオリティを構成するために使用される情報を含む、方法。
【請求項５０】
通信システムであって、
セルラー・ネットワークと、
ホスト・コンピュータであって、
ユーザ・データを提供するように構成された処理回路と、
ユーザ機器（ＵＥ）への送信のために前記ユーザ・データを前記セルラー・ネットワークに転送するように構成された処理インタフェースと、
を備える、ホスト・コンピュータと、を備え、
前記セルラー・ネットワークは、無線インタフェース及び処理回路を有する無線アクセス・ネットワーク（ＲＡＮ）ノードを含み、前記ＲＡＮノードの前記処理回路は、無線アクセス技術（ＲＡＴ）及び／又は周波数選択のための情報を受信することと、アイドル・モード・キャンピング及び／又はアクティブ・モード・モビリティを制御するためのＵＥ固有セル再選択プライオリティを決定するために前記受信された情報を使用することと、前記ＵＥ固有セル再選択プライオリティを前記ＵＥに提供することと、を行うように構成され、
前記ＲＡＴ及び／又は周波数選択のための前記受信された情報が、ネットワーク・スライスの知識に基づいて決定された、通信システム。
【請求項５１】
請求項５０に記載の通信システムであって、前記ＲＡＮノードは、拡張型又は発展型ノードＢ（ｅＮＢ）又はニュー・ラジオ基地局（ｇＮＢ）を含む、通信システム。
【請求項５２】
請求項５０又は５１に記載の通信システムであって、前記ＲＡＮノードは、前記情報を供給するためのコア・ネットワーク（ＣＮ）ノードから前記情報を受信するように構成される、通信システム。
【請求項５３】
請求項５０乃至５２の何れか１項に記載の通信システムであって、前記ＣＮノードは、認証管理機能（ＡＭＦ）、セッション管理機能（ＳＭＦ）、モビリティ管理エンティティ（ＭＭＥ）、又はホーム加入者サーバ（ＨＳＳ）のうちの一つを備える、通信システム。
【請求項５４】
請求項５０又は５３に記載の通信システムであって、前記ＣＮノードをさらに含む、通信システム。
【請求項５５】
請求項５０乃至５４の何れか１項に記載の通信システムであって、前記ＲＡＮノードは、前記情報を供給するための前記ＵＥから前記情報を受信するように構成される、通信システム。
【請求項５６】
請求項５０乃至５５の何れか１項に記載の通信システムであって、前記ＵＥをさらに含み、前記ＵＥは、前記ＲＡＮノードと通信するように構成される、通信システム。
【請求項５７】
請求項５０乃至５６の何れか１項に記載の通信システムであって、
前記ホスト・コンピュータの前記処理回路は、ホスト・アプリケーションを実行し、それによって前記ユーザ・データを提供するように構成され、
前記ＵＥは、前記ホスト・アプリケーションに関連するクライアント・アプリケーションを実行するように構成された処理回路を備える、通信システム。
【請求項５８】
請求項５０乃至５７の何れか１項に記載の通信システムであって、前記ＲＡＴ及び／又は周波数選択のための前記情報は、前記ＵＥがキャンプする周波数を制御するために使用される情報を含む、通信システム。
【請求項５９】
請求項５０乃至５８の何れか１項に記載の通信システムであって、前記ＲＡＴ及び／又は周波数選択のための前記情報は、アイドル・モード再選択のための周波数プライオリティを構成するために使用される情報を含む、通信システム。
【請求項６０】
ホスト・コンピュータ、無線アクセス・ネットワーク（ＲＡＮ）ノード、及びユーザ機器（ＵＥ）を含む通信システムにおいて実施される方法であって、前記方法は、
前記ホスト・コンピュータにおいて、ユーザ・データを提供することと、
前記ホスト・コンピュータにおいて、前記ＲＡＮノードを含むセルラー・ネットワークを介して前記ＵＥへ前記ユーザ・データを伝える送信を開始することと、
を有し、
前記ＲＡＮノードは、無線アクセス技術（ＲＡＴ）及び／又は周波数選択のための情報を受信することと、アイドル・モード・キャンピング及び／又はアクティブ・モード・モビリティを制御するためのＵＥ固有セル再選択プライオリティを決定するために前記受信された情報を使用することと、前記ＵＥ固有セル再選択プライオリティを前記ＵＥに提供することと、を行い、
前記ＲＡＴ及び／又は周波数選択のための前記受信された情報が、ネットワーク・スライスの知識に基づいて決定された、方法。
【請求項６１】
請求項６０に記載の方法であって、前記ユーザ・データは、ホスト・アプリケーションを実行することによって前記ホスト・コンピュータにおいて提供され、前記方法は、
前記ＵＥにおいて、前記ホスト・アプリケーションに関連付けられたクライアント・アプリケーションを実行することをさらに有する、方法。
【請求項６２】
請求項６０又は６１に記載の方法であって、前記ＲＡＴ及び／又は周波数選択のための前記情報は、前記ＵＥがキャンプする周波数を制御するために使用される情報を含む、方法。
【請求項６３】
請求項６０乃至６２の何れか１項に記載の方法であって、前記ＲＡＴ及び／又は周波数選択のための前記情報は、アイドル・モード再選択のための周波数プライオリティを構成するために使用される情報を含む、方法。
【国際調査報告】
2020535692.tif 000017
2020535692.tif 000018
2020535692.tif 000019
2020535692.tif 000020